(57)【要約】【課題】耐久性を確保しつつ、強力な締め付け感、窮屈感を生じさせることなく少ない外力でも容易に伸縮して人体のウエストの動きに追従するフィット性を高めることができること。【解決手段】腰裏ベルト部１００の上位ゴム３１及び下位ゴム３２が、互いに一部の厚みを重複させて上下に配設され収容側布地２０Ａ及び延出側布地２０Ｂの間を接続し、収容側布地２０Ａ及び延出側布地２０Ｂの間で上位ゴム３１及び下位ゴム３２が分離している。【選択図】図３
2018119232.tif 000002
【特許請求の範囲】
【請求項１】
ウエスト方向に延びる帯状をなし前記ウエスト方向に伸縮自在とされるウエストベルトを有するウエスト伸縮自在ボトムスであって、
前記ウエストベルトの表側を形成し、身頃に縫着しない端部が延出自在な延出部と、
前記延出部と共に前記ウエストベルトの表側を形成し、前記延出部の身頃に縫着しない端部が重ねられて収まる収容部と、
前記延出部と前記収容部に各端部が接続された主弾性材と、
前記ウエストベルトの裏側を形成し、前記収容部側に配設する収容側布地及び前記延出部側に配設する延出側布地の間を前記主弾性材とは別の上方側の第１の弾性材及び下方側の第２の弾性材によって接続してなる腰裏ベルト部とを具備し、
前記腰裏ベルト部の上方側の第１の弾性材及び下方側の第２の弾性材は、前記第１の弾性材の下方に前記第２の弾性材の上方を重複させて上下に配設され前記収容側布地及び前記延出側布地の間を接続し、前記収容側布地及び前記延出側布地の間で分離していることを特徴とするウエスト伸縮自在ボトムス。
【請求項２】
前記第１の弾性材と前記第２の弾性材は、前記収容側布地と前記延出側布地の間を接続する接続長さが相違することを特徴とする請求項１に記載のウエスト伸縮自在ボトムス。
【請求項３】
前記重複させて上下に配設した前記第１の弾性材と前記第２の弾性材は、前記第１の弾性材の上端から前記第２の弾性材の下端までの縦幅の全長の１０％以上、８０％以下の範囲内で重複させていることを特徴とする請求項１または請求項２に記載のウエスト伸縮自在ボトムス。
【請求項４】
前記第１の弾性材と前記第２の弾性材の各縦幅長さは、前記重複させて上下に配設した前記第１の弾性材と前記第２の弾性材の縦幅の全長の５０％以上、８０％以下の範囲内であることを特徴とする請求項１乃至請求項３の何れか１つに記載のウエスト伸縮自在ボトムス。
【発明の詳細な説明】
【技術分野】
【０００１】
本発明は、ウエストサイズを伸縮自在とした被服、すなわち、スーツ用ズボンや綿パン等のパンツ（ズボン）、スカート、キュロットスカート等（以下、「ボトムス（bottoms）」という）のウエスト伸縮自在ボトムスに関するもので、特に、少ない外力で容易に伸縮が可能なウエスト伸縮自在ボトムスに関するものである。
【背景技術】
【０００２】
一般に、パンツ（ズボン）等のボトムスの既製品のベルト部のサイズは所定間隔、例えば、６９ｃｍ、７２ｃｍ、７５ｃｍといったような３ｃｍ間隔、に設定されており、購入者は自己のウエストサイズに近いものを選択して購入し、自己のウエストサイズに修正したり、革ベルト等によって矯正したりして着用している。しかしながら、ウエストサイズを修正する場合には修正作業が必要で手間及び費用を要し、革ベルト等によって矯正する場合にはパンツ等のベルト部にシワが生じてテザイン的に好ましくなく、更に着用した際の快適性も劣るという問題がある。
【０００３】
そこで、これを解決したものとして、本発明者の発明に係る特許文献１乃至特許文献３に記載された技術が公知である。すなわち、パンツ等のウエストベルトの横側、前側の一部にゴム等の弾性材を介在させ、この弾性材によってベルトサイズを伸縮させることができるようにしたものである。具体的には、一方に開口部を設けた収容部と、収容部の開口部から延出する延出部（突出部）とをズボン等のポケットまたはタック部分において重ねてウエストベルトを形成し、ウエストベルトの延出部を収容部の開口部に挿入した状態で収容部の奥で弾性材により延出部と収容部を接続する構成とすることによって、ズボン等のウエストベルトを着用者のウエストサイズに合わせて伸縮するようにしている。
【０００４】
ところで、このようなウエスト周りを伸縮自在とするボトムスについての発明の上記特許文献１乃至特許文献３では、収容部及び延出部の表裏を一体として収容部及び延出部のいずれもボトムスの身頃と共地で作製し、ウエストベルト上端で折り曲げる構成として説明している。この場合、ウエストベルトの表側ではベルト通しによって収容部の開口端、即ち、収容部から延出部が延出する部分を隠すことができるが、ウエストベルト裏側の腰裏では収容部の開口端が露出することになる。
【０００５】
そこで、特許文献１乃至特許文献３にも記載されているように、例えば、収容部及び延出部の表側のみを前身頃及び後身頃と共地として、収容部及び延出部の裏側は別の生地として、ベルト部上端で両者の生地を接ぐ構成とすることもできる。
【先行技術文献】
【特許文献】
【０００６】
【特許文献１】特許３７８９６６３号公報
【特許文献２】特許３９６４５９５号公報
【特許文献３】特開２００９−１０２７９０号公報
【発明の概要】
【発明が解決しようとする課題】
【０００７】
ここで、収容部及び延出部の裏側に別の生地を取付けた構成としては、従来、ウエスト周りの伸縮機構を損なうことのないように、即ち、延出部と収容部を接続する主弾性材の弾性力に追従できるように、ウエストベルトの裏側の腰裏に取付ける布地を周方向の一部において分割してそこを１本の帯ゴム等の弾性材で連結することが行われている。
【０００８】
しかしながら、このようにウエストベルトの腰裏の一部を帯ゴムで形成した従来のウエスト伸縮自在ボトムスは、１本の帯ゴムで分割された布地を連結する構造であるから、そのヤング率、弾性力等の弾性特性は帯ゴムの選択によって一義的に決定される。
このため、着用感の向上を目指してウエストの動きに追従するフィット性を高めるために弾性力の高いゴムを選択すると、ウエストを締める弾性力も強くなることから、ボトムスを着用したときの窮屈感が増大してしまう。ヤング率の小さい帯ゴムの選択により、窮屈感を和らげることも可能であるが、ヤング率の小さい帯ゴムでは繰り返しの伸縮によりヘタリが生じやすく、耐久性に問題が生じる。
【０００９】
そこで、本発明は、耐久性を確保しつつ、強力な締め付け感、窮屈感を生じさせることなく少ない外力でも容易に伸縮して人体のウエストの動きに追従するフィット性を高めることができるウエスト伸縮自在ボトムスの提供を課題とするものである。
【課題を解決するための手段】
【００１０】
請求項１の発明のウエスト伸縮自在ボトムスは、ウエスト方向に延びる帯状をなし前記ウエスト方向に伸縮自在とされるウエストベルトの表側を、身頃に縫着しない端部が延出自在な延出部及び前記延出部の身頃に縫着しない一端部が重ねられて収まる収容部によって形成し、そして、前記延出部及び前記収容部を主弾性材によって接続しており、また、ウエストベルトの裏側を、前記収容部側に配設する収容側布地及び前記延出部側に配設する延出側布地の間を互いに一部の厚みを重複させて上下に配設した上方側の第１の弾性材及び下方側の第２の弾性材によって接続してなる腰裏ベルト部により形成し、前記収容側布地及び前記延出側布地の間で前記第１の弾性材及び前記第２の弾性材が一体化されておらずに分離しているものである。
【００１１】
ここで、上記ウエストベルトとは、身頃に縫合わされてボトムスの履き口となる上端部にウエスト方向に延びる帯状に形成され、人体のウエスト周りに配設されるものであり、着用する人のウエストサイズに合わせてウエスト方向に伸縮自在とされるものである。
【００１２】
上記延出部は、ウエスト方向に延びてウエストベルトの表側の一部を形成し、その一端部または両端部が身頃に縫着されず延出自在とされているものである。
また、上記収容部は、前記延出部と共にウエスト方向に延びてウエストベルトの表側の一部を形成し、その一端部または両端部に前記延出部の身頃に縫着されず延出自在な端部が重ねられて収まるものであり、通常、延出部の延出自在な端部がウエストベルトの表面側の意匠面側から隠れるように重ねられて収められる。
そして、上記主弾性材は、その一端部が前記ウエストベルトの表側を形成する前記延出部に取付けられ、また、他端部が前記ウエストベルトの表側を形成する前記収容部に取付けられて、前記延出部及び前記収容部を弾性的に接続するものである。
【００１３】
上記腰裏ベルト部は、ウエスト方向に延びてウエストベルトの裏側を形成するものであり、前記延出部側に配設した延出側布地と、前記収容部側に配設した収容側布地と、前記延出側布地の一端部及び前記収容側布地の一端部に取付けられて前記延出側布地及び前記収容側布地の間を接続した上方側の第１の弾性材及び下方側の第２の弾性材とから構成されて、第１の弾性材及び第２の弾性材によってウエスト方向に伸縮自在とされるものである。
【００１４】
ここで、上記腰裏ベルト部の延出側布地は、前記ウエストベルトの表側を形成する前記延出部に接続されて前記延出部の裏側に形成されるものであり、通常は、前記延出部の延出自在な端部側を除いて前記延出部に接続されている。
また、上記腰裏ベルト部の収容側布地は、前記ウエストベルトの表側を形成する前記収容部に接続されて前記収容部の裏側に形成されるものである。
【００１５】
そして、上記腰裏ベルト部の第１の弾性材は、その一端部が前記延出側布地に取付けられ、また、他端部が前記収容側布地に取付られて前記延出側布地及び前記収容側布地の間の上方側を接続するものである。
上記腰裏ベルト部の第２の弾性材は、その上方が前記第１の弾性材の下方に重ねられ、一端部が前記延出側布地に取付けられ、また、他端部が前記収容側布地に取付られて、前記延出側布地及び前記収容側布地の間の下方側を接続するものである。
ここで、上記第１の弾性材と第２の弾性材の関係は、第１の弾性材の下方に第２の弾性材の上方が重ねられており、互いに一部を重ねて厚みを重複させている。そして、前記収容側布地及び前記延出側布地の間では、重なり合う前記第１の弾性材及び前記第２の弾性材が縫合等によって一体化されることなく分離している。なお、上記上方や下方の上下とは、ウエストの周方向に垂直な方向で第１の弾性材及び第２の弾性材の相対的な位置関係を特定しているものであり、第１の弾性材が第２の弾性材より高い位置に配置し、第２の弾性材が第１の弾性材より低い位置に配置していることを示している。
【００１６】
請求項２の発明のウエスト伸縮自在ボトムスの前記第１の弾性材と前記第２の弾性材は、前記収容側布地と前記延出側布地の間を接続する接続長さが相違するものである。
ここで、接続長さとは、前記第１の弾性材や前記第２の弾性材を前記収容側布地と前記延出側布地に縫付け等によって取付けたときの縫付線間の最短距離長さのことである。
【００１７】
請求項３の発明のウエスト伸縮自在ボトムスの互いに一部の厚みを重複させて上下に配設した前記第１の弾性材と前記第２の弾性材は、それらの縦幅の全長の１０％以上、８０％以下の範囲内、より好ましくは、２０％以上、５０％以下の範囲内、更に好ましくは３０％以上、５０％以下の範囲内で厚みを重複させているものである。即ち、厚みを重複させる縦幅は、重複させて上下に配設した第１の弾性材と前記第２の弾性材の縦幅の全長の１０％以上、８０％以下の範囲内、より好ましくは、２０％以上、５０％以下の範囲内、更に好ましくは３０％以上、５０％以下の範囲内に設定されるものである。
ここで、上記重複させて上下に配設した第１の弾性材と前記第２の弾性材の縦幅の全長は、互いに一部の厚みが重ねられた状態での上方側の第１の弾性材の上端から下方側の第２の弾性材の下端までの長さのことである。
【００１８】
請求項４の発明のウエスト伸縮自在ボトムスの前記第１の弾性材と前記第２の弾性材の各縦幅長さは、互いに一部の厚みを重複させて上下に配設した前記第１の弾性材と前記第２の弾性材の縦幅の全長の５０％以上、８０％以下の範囲内、より好ましくは、６０％以上、８０％以下の範囲内であるものである。
ここで、上記重複させて上下に配設した前記第１の弾性材と前記第２の弾性材の縦幅の全長も、互いに一部が重ねられた状態での上方側の第１の弾性材の上端から下方側の第２の弾性材の下端までの長さのことである。
【発明の効果】
【００１９】
請求項１の発明に係るウエスト伸縮自在ボトムスによれば、表側において端部が延出する延出部と前記延出部が重ねられて収まる収容部が主弾性材によって接続されてウエスト方向に伸縮可能に形成されたウエストベルトに対し、その裏側に、相互に一部を重ねて上下に配設した上方側の第１の弾性材と下方側の第２の弾性材により前記収容部側に配設する収容側布地及び前記延出部側に配設する延出側布地が接続されてなる腰裏ベルト部が形成されている。
したがって、ウエストの周方向（長手方向）に引張り力がかかると、ウエストベルトの表側では、収容部と延出部との間に各端部が接続された主弾性材が伸び、延出部が収容部から抜きだす方向に移動し、ウエストベルトの裏側では、収容側布地及び延出側布地を接続した主弾性材とは別の第１の弾性材と第２の弾性材が伸びることによって、所定の伸びが確保される。
【００２０】
そして、本発明に係るウエスト伸縮自在ボトムスによれば、ウエストベルトの裏側を形成する腰裏ベルト部において、相互に一部を重ねて上下に配設した上方側の第１の弾性材と下方側の第２の弾性材により収容側布地及び延出側布地が接続されており、収容側布地及び延出側布地の間で第１の弾性材と第２の弾性材が一体化されることなく分離しているから、強力な締め付け感、窮屈感を生じさせることなく弾性力を強化でき、少ない外力で高い伸縮力を得ることができる。よって、ヤング率の高い弾性材を選択しなくとも少ない外力で伸び易く、ヤング率を小さくできるから耐久性も維持される。こうして、耐久性を維持しつつ、強力な締め付け感、窮屈感を生じさせることなく人体のウエストの動きに追従するフィット性を高めることができ、着用感を向上させることができる。
【００２１】
このようにして、請求項１の発明のウエスト伸縮自在ボトムスによれば、耐久性を確保しつつ、強力な締め付け感、窮屈感を生じさせることなく少ない外力でも容易に伸縮して人体のウエストの動きに追従するフィット性を高めることができる。
【００２２】
請求項２の発明に係るウエスト伸縮自在ボトムスによれば、前記第１の弾性材と前記第２の弾性材とは、前記収容側布地と前記延出側布地の間を接続する接続長さを相違させたことから、請求項１に記載の効果に加えて、引張り力がかかった際に、前記第１の弾性材と前記第２の弾性材や、前記収容側布地及び前記延出側布地への第１の弾性材と前記第２の弾性材の縫製の縫い目や、前記収容側布地及び前記延出側布地にかかる伸長時の負荷を分散でき、耐久性を向上させることができる。
【００２３】
請求項３の発明に係るウエスト伸縮自在ボトムスによれば、互いに一部の厚みを重複させて上下に配設した前記第１の弾性材と前記第２の弾性材は、それら厚みを重複させた状態での縦幅の全長の１０％以上、８０％以下の範囲内で厚みを重複させていることから、請求項１または請求項２に記載の効果に加えて、締め付け力、窮屈感が強調されることなく、よりフィット感が増大する。
【００２４】
請求項４の発明に係るウエスト伸縮自在ボトムスによれば、前記第１の弾性材と前記第２の弾性材の各縦幅長さは、互いに厚みを重複させて上下に配設した前記第１の弾性材と前記第２の弾性材の縦幅の全長の５０％以上、８０％以下の範囲内であるから、請求項１乃至請求項３の何れか１つに記載の効果に加えて、重厚感も少なくて、より少ない力で伸び易くてフィット性が良く、締め付け感、窮屈感もより少なくなる。
【図面の簡単な説明】
【００２５】
【図１】図１（ａ）は本発明の実施の形態に係るウエスト伸縮自在ボトムスの全体構成を示す正面図、図１（ｂ）はウエストベルト表側の収容部及び延出部が重ねられる近傍を拡大して表側から見た部分拡大図、図１（ｃ）はウエスト周りが伸長した状態を表側から見た部分拡大図である。
【図２】図２は本発明の実施の形態に係るウエスト伸縮自在ボトムスのウエストベルト表側の伸縮機構の構造を説明するための説明図であり、（ａ）は本発明の実施の形態に係るウエスト伸縮自在ボトムスの重ね合せた延出部及び収容部の構造を示す部分展開図、（ｂ）は本発明の実施の形態に係るウエスト伸縮自在ボトムスの重ね合せた延出部及び収容部の近傍の構成を示す部分展開図である。
【図３】図３は本発明の実施の形態に係るウエスト伸縮自在ボトムスのウエストベルトの裏側において腰裏ベルト部の縫付け位置を説明するための要部分解斜視図である。
【図４】図４は本発明の実施の形態に係るウエスト伸縮自在ボトムスのウエスト周りを展開して裏側から見た展開図である。
【図５】図５は本発明の実施の形態に係るウエスト伸縮自在ボトムスのウエスト周りを示す斜視図である。
【図６】図６は本発明の実施の形態の実施例１に係るウエスト伸縮自在ボトムスの腰裏ベルト部の縫製を示す説明図であり、（ａ）は腰裏ベルト部の縫製手順を示して縫製途中の構成を示す腰裏ベルト部の表面側（意匠面側）の説明図、（ｂ）は腰裏ベルト部の縫製途中の構成を示す腰裏ベルト部の裏面側の説明図である。
【図７】図７は本発明の実施の形態の実施例１に係るウエスト伸縮自在ボトムスの腰裏ベルト部の構成を示す説明図であり、（ａ）は上位ゴム及び下位ゴムが縫付けられた腰裏ベルト部の表面側の説明図、（ｂ）は上位ゴム及び下位ゴムが縫付けられた腰裏ベルト部の裏面側の説明図である。
【図８】図８は本発明の実施の形態の実施例１に係るウエスト伸縮自在ボトムスの腰裏ベルト部の上位ゴム及び下位ゴムの縫製を示す説明図であり、（ａ）は腰裏ベルト部の表面側で一部を展開した（捲った）拡大図、（ｂ）は腰裏ベルト部の裏面側で一部を展開した（捲った）拡大図である。
【図９】図９は本発明の実施の形態の実施例１に係る変形例のウエスト伸縮自在ボトムスの腰裏ベルト部の構成を示す説明図であり、（ａ）は腰裏ベルト部の縫製手順を示した腰裏ベルト部の表面側の説明図、（ｂ）は腰裏ベルト部の裏面側の説明図である。
【図１０】図１０は本発明の実施の形態の実施例２に係るウエスト伸縮自在ボトムスの腰裏ベルト部の縫製を示す説明図であり、（ａ）は腰裏ベルト部の縫製手順を示して縫製途中の構成を示す腰裏ベルト部の表面側の説明図、（ｂ）は腰裏ベルト部の縫製途中の構成を示す腰裏ベルト部の裏面側の説明図である。
【図１１】図１１は本発明の実施の形態の実施例２に係るウエスト伸縮自在ボトムスの腰裏ベルト部の構成を示す説明図であり、（ａ）は腰裏ベルト部の表面側の説明図、（ｂ）は腰裏ベルト部の裏面側の説明図である。
【図１２】図１２は本発明の実施の形態の実施例２に係るウエスト伸縮自在ボトムスの腰裏ベルト部の構成を示す説明図であり、（ａ）は腰裏ベルト部の表面側で一部を展開して（捲って）示した説明図、（ｂ）は腰裏ベルト部の裏面側で一部を展開して（捲って）結合具を示した説明図である。
【図１３】図１３は本発明の実施の形態の実施例２に係る変形例のウエスト伸縮自在ボトムスの腰裏ベルト部の構成を示す説明図であり、（ａ）は腰裏ベルト部の縫製手順を示した腰裏ベルト部の表面側の説明図、（ｂ）は腰裏ベルト部の裏面側の説明図である。
【発明を実施するための形態】
【００２６】
以下、本発明の実施の形態について、図面を参照しながら説明する。
なお、各実施の形態において、同一の記号及び同一の符号は同一または相当する機能部分を意味し、各実施の形態相互の同一の記号及び同一の符号は、それら実施の形態に共通する機能部分であるから、ここでは重複する詳細な説明を省略する。
【００２７】
まず、本発明の実施の形態に係るウエスト伸縮自在ボトムスのウエスト部の全体構造について、図１乃至図５を参照して説明する。
【００２８】
図１乃至図５に示されるように、本実施の形態に係るウエスト伸縮自在ボトムスとしてのスーツ用ズボン１は、着用時に人体のウエスト付近に位置するウエスト部１５において、脇線ＬＳ，ＲＳ近傍の前身頃４Ｆ側に左右一対の脇ポケット２を有しており、これらの脇ポケット２の前中心ＦＣ寄りの部分であるポケット口外縁２Ａの上部の近傍に、ウエスト方向の全長に沿って延びるウエストベルト１０の表面側を構成する延出部３Ｂと延出部３Ｂの端部が重ねられて収められる収容部３Ａとによる重ね合わせ部９が形成され、収容部３Ａ内側（裏面側）において延出部３Ｂの先端と収容部３Ａの内面とが主弾性材としての平ゴム６で接続されている。
【００２９】
ウエストベルト１０の表側では、ウエスト長を収容部３Ａと延出部３Ｂに分割し、一端部を除いて前身頃４Ｆに縫合わされる延出部３Ｂと後身頃４Ｂに縫合わされる収容部３Ａとを別体に形成し、それらを脇線ＬＳ，ＲＳ近傍の各脇ポケット２の上部で重ね合わせ、詳細には、後述するように、延出部３Ｂの前身頃４Ｆに縫着されていない一端部側を収容部３Ａの一端部側に重ねて、それらの間を主弾性材としての平ゴム６によって接続している。
【００３０】
そして、平ゴム６によって接続された収容部３Ａ及び延出部３Ｂの裏面側には、図３乃至図５に示されるように、収容部３Ａに縫付けられる収容側布地２０Ａと延出部３Ｂに縫付けられる延出側布地２０Ｂの間を主弾性材の平ゴム６とは異なる他の弾性材としての上位ゴム３１及び下位ゴム３２で接続して形成した腰裏ベルト部１００が縫付けられている。
【００３１】
即ち、本実施の形態のスーツ用ズボン１は、脇ポケット２の上部で帯状のウエストベルト１０の表側において収容部３Ａと延出部３Ｂとが重なり、重なり合った収容部３Ａと延出部３Ｂを主弾性材としての平ゴム６で接続することによって、また、ウエストベルト１０の裏側で収容部３Ａ及び延出部３Ｂの裏面側に取付けた腰裏ベルト部１００において、その一部に上位ゴム３１及び下位ゴム３２を配設し、収容側布地２０Ａと延出側布地２０Ｂの間を上位ゴム３１及び下位ゴム３２で接続することによって、平ゴム６並びに上位ゴム３１及び下位ゴム３２の弾性力によりウエストを伸縮自在としている。
【００３２】
ここで、ウエストベルト１０の表側及びウエストベルト１０の周辺の構造の詳細を説明する。
図２に示すように、ウエストベルト１０の表側を形成する収容部３Ａと延出部３Ｂは、前身頃４Ｆ及び後身頃４Ｂと共地の綿生地等からなる収容部３Ａを構成する表側ベルト布３ａと延出部３Ｂを構成する表側ベルト布３ｂに接着芯等の芯材（ソフト芯ＳＣ及びハード芯ＨＣ）が接合され、上下端部が内折りされてウエスト方向に延びる帯状をなし、図３に示すように、その上端部の折り返し部分にウエスト方向（長手方向）に延びる縫付線１０１ａ，１０１ｂにて腰裏ベルト部１００が縫付けられ、また、下端部の折り返し部分に前身頃４Ｆ及び後身頃４Ｂがウエスト方向（長手方向）に延びる縫付線１０３にて縫付けられている。
【００３３】
即ち、収容部３Ａは、所定幅の表側ベルト布３ａの上端及び下端を中央に向かって表側から裏側に折り返して、均一なウエストベルト１０の幅となるようにその幅が設定され、その折り返した上端部に縫付線１０１ａにて腰裏ベルト部１００の収容側布地２０Ａの上端部が縫付けられ、また、折り返した下端部が縫付線１０３にて後身頃４Ｂの上端部と縫合わされている。
延出部３Ｂについても、表側ベルト布３ａと略同一の所定幅の表側ベルト布３ｂの上端及び下端を中央に向かって表側から裏側に内折りし、収容部３Ａに収容される先端部側を除いて収容部３Ａと共に均一なウエストベルト１０の幅となるようにその幅が設定され、その折り返した上端部に縫付線１０１ｂにて腰裏ベルト部１００の延出側布地２０Ｂの上端部が縫付けられ、また、その折り返した下端部が前身頃４Ｆの上端部と縫合わされている。このとき、収容部３Ａに収容される延出部３Ｂの先端部側は、前身頃４Ｆの上端部と縫合わされず自由な状態になっている。したがって、収容部３Ａ内に延出部３Ｂの先端部側が挿入されて、その挿入深さが変化自在、つまり、ウエスト方向に相対移動自在となっている。
【００３４】
なお、本実施の形態では、図２に示すように、収容部３Ａの上下端が内折りされて、その上端側で内折りされたループ内に延出部３Ｂの延出自在な一端部側が収められているが、本発明を実施する場合には、内折りされたループ外に延出部３Ｂの延出自在な一端部側が収められても良い。
【００３５】
また、図２に示すように、収容部３Ａを構成する表側ベルト布３ａ及び延出部３Ｂを構成する表側ベルト布３ｂの内側には、芯材としてのソフト芯ＳＣ及びハード芯ＨＣがアイロンプレス等の使用によって貼付けられている。
詳細には、ソフト芯ＳＣが表側ベルト布３ａ及び表側ベルト布３ｂの上端部及び下端部の折り返し部分に貼付けられ、ハード芯ＨＣが表側ベルト布３ａ及び表側ベルト布３ｂの折り返しのない部分（中央部分）に貼付けられている。必要に応じ、延出部３Ｂの滑りを良くするために、収容部３Ａの一端縁近傍の内側においてソフト芯ＳＣ及びハード芯ＨＣの上から、伸縮性を有しない生地、例えば、ポリエステル系生地等からなる接着布を、アイロンプレス等によって貼付けることもある。
【００３６】
そして、これら収容部３Ａと延出部３Ｂとの間には、主弾性材としての平ゴム６が縫付けられ、収容部３Ａの内面側において延出部３Ｂの先端と収容部３Ａの内部とが、平ゴム６によって接続されている。この平ゴム６は、その一端が延出部３Ｂの内側先端に縫付けられ、反対側の他端が収容部３Ａの内側内部に縫付けられている。これによって、収容部３Ａと延出部３Ｂが弾性的に接続され、ウエスト方向に伸縮可能となる。そして、平ゴム６が本来の長さの通常状態（伸長していない状態）にあるとき、延出部３Ｂは最も多く収容部３Ａに入っており、平ゴム６の取付位置によって両者の結合深さが決定される。
【００３７】
なお、図２においては、平ゴム６の本来の長さよりも長く伸縮性のない生地からなる帯状の伸び止め材７が折り畳まれて平ゴム６の両端に対して縫付けられており、平ゴム６に引張り力がかかった際に、この伸び止め材７の本来の長さまでしか伸びることができないようになっていて、平らゴム６の伸びの限界が規定されている。
これにより、平ゴム６や後述の上位ゴム３１及び下位ゴム３２に無理な引張り力がかかり過度に伸びるのを防止して、それらゴムが長持ちするようにしている。また、このように平ゴム６にその最大伸びを特定する伸び止め材７を併設していることで、収容部３Ａ及び延出部３Ｂの重ね合わせ部９に過度な張力が加えられないようにその伸び長さを制限できることから、重ね合わせ部９の見栄えが向上する。
しかし、本発明を実施する場合には、伸び止め材７を省略することも可能である。
【００３８】
因みに、平ゴム６の一方の端は、伸び止め材７の一方の端と共に収容部３Ａに収容される延出部３Ｂの先端に縫付線４３にて縫付けられるため、図２（ａ）に示す縫付線４３は、スーツ用ズボン１の表側からは見えないが、平ゴム６の他方の端が伸び止め材７の他方の端と共に収容部３Ａに縫付線４４にて縫付けられるため、図２に示す縫付線４４はスーツ用ズボン１の表側に出ることとなる。そこで、より美観を向上させるためには、この縫付線４４をベルト通し５で隠すのが効果的である。
【００３９】
そして、本実施の形態では、図１に示すように、延出部３Ｂが延出される収容部３Ａの一端縁を覆い隠すようにベルト通し５Ａがウエストベルト１０の表側に取付けられている。詳細には、ベルト通し５Ａはウエスト周りの長手方向と直交する方向（上下方向）に延びる帯状をなし、延出部３Ｂの移動を妨げないように収容部３Ａの表側の一端縁に沿ってその上端部及び下端部近傍にて縫付けられている。このように収容部３Ａの一端縁がベルト通し５Ａによって完全に隠されるので、見栄え・美観に優れる。勿論、スーツ用ズボン１のウエストベルト１０の正面側及び背面側にも、同様のベルト通し５が適当な間隔をとって取付けられている。
【００４０】
更に、本実施の形態では、図２（ｂ）に示されるように、前身頃４Ｆ及び後身頃４Ｂに対しそれらの裏側（身体側）で縫付けられている脇ポケット２を構成する袋布２Ｃにおいて、その中央側の上端部にタック（折り返し）２Ｄが設けられている。このタック２Ｄは所定の幅長さを有し、つまり、タック２Ｄの襞の幅が所定幅に形成されており、ウエストベルト１０に引張り力がかかっていない場合には折り畳まれた状態となっている。このようにタック２Ｄを設けることによって、ウエストベルト１０に引張り力がかかったときの延出部３Ｂの移動（延出）に伴ってタック２Ｄが開かれる（広げられる）ことから、前身頃４Ｆ及び後身頃４Ｂの裏側に縫付けられた脇ポケット２にかかる引張り力がタック２Ｄの開きによって逃される。したがって、ウエストの伸びを妨げることなくウエストをスムースに伸ばすことができる。また、袋布２Ｃが引き攣られることがなくて、引張り力が表側に響いて脇ポケット２が歪んだり脇ポケット２の周辺にシワが寄ったりするのを防止することができ、表側から見た場合でも良好な見栄えを保つことができる。タック２Ｄの幅の調節により、ウエストの伸びの限界を規定することも可能である。
【００４１】
なお、本実施の形態においては、補助弾性材として幅の細い所定長さの平ゴム８の一端部が、脇ポケット２の袋布２Ｃに形成されたタック２Ｄの上側の布地（図２（ｂ）においてタック２Ｄの折れ線より左側の布地）の上端部に対して縫付けられ、また、反対側の他端部が、タック２Ｄの下側の布地（図２（ｂ）においてタック２Ｄの折れ線より右側の布地）の上端部に対して延出部３Ｂの下端部（折り返し部分）及び前身頃４Ｆの上端部と共に縫付けられている。なお、このときの縫付線はスーツ用ズボン１の表側からは見えない。これより、平ゴム８の弾性力によって、タック２Ｄの形状が維持され、延出部３Ｂが移動する際に脇ポケット２の袋布２Ｃの形状が崩れたり、袋布２Ｃ、ウエストベルト１０及び身頃４Ｆ，４Ｂとの境界付近に皺がよったりして見栄えが悪くなるのを防ぐ働きをしている。特に、袋布２Ｃのタック２Ｄの上側の布地への平ゴム８の縫付け位置に対して、タック２Ｄの下側の布地への平ゴム８の縫付け位置を略同一または若干高く設定することで、タック２Ｄの下側の布地に皺が入り難いものとなる。
【００４２】
ところで、上記説明では収容部３Ａと延出部３Ｂを接続する主弾性材として平ゴム６を用いた場合について説明したが、平ゴム６としては、織ゴム、編ゴム、コールゴム、ゴムテープ等がある。更に、十分な弾性を有するものであれば、主弾性材としては他にもゴム製板、ストレッチテープ（ゴム入り布）等の様々な弾性を有する素材を用いることができる。補助弾性材８についても同様である。
【００４３】
続いて、このように互いに一端部が重ね合わせられて平ゴム６で接続された収容部３Ａと延出部３Ｂの裏面側（身体側）に取付けられウエストベルト１０の裏側を形成する腰裏ベルト部１００の構造について詳細に説明する。
【００４４】
本実施の形態に係る腰裏ベルト部１００は、収容部３Ａに縫付けられている収容側布地２０Ａと、延出部３Ｂに縫付けられている延出側布地２０Ｂと、これら収容側布地２０Ａ及び延出側布地２０Ｂの間を接続している上位ゴム３１及び下位ゴム３２とから構成されている。
【００４５】
収容側布地２０Ａ及び延出側布地２０Ｂには、例えば、一般的にスーツ等のズボンの腰裏に使用されている生地、具体的には、綿、ポリウレタン、ポリエステル、レーヨン、ナイロン、絹（シルク）、麻、アクリル、ラバー、ウール等の生地が使用される。収容側布地２０Ａ及び延出側布地２０Ｂは、収容部３Ａ及び延出部３Ｂを構成する表側ベルト布３ａ及び表側ベルト布３ｂや、身頃４Ｂ，４Ｆと共地（綿生地等）であっても良いし、異なる素材を用いても良く、タックインしたシャツがズボンから食み出るのを防止する滑り止め機能を持たせた所謂、マーベルト仕様とすることもできる。なお、表側ベルト布３ａ，３ｂよりも厚みがあってもよいが、通常、着用感や履き心地の観点から表側ベルト布３ａ，３ｂと同等の厚みの生地またはそれよりも厚みの薄い生地が採用される。
【００４６】
特に、本実施の形態のスーツ用ズボン１においては、腰裏ベルト部１００のウエスト方向の一部に上位ゴム３１及び下位ゴム３２を配設しその上位ゴム３１及び下位ゴム３２によって所定の伸びを確保できるため、収容側布地２０Ａ及び延出側布地２０Ｂの素材には伸縮性を問わず、収容部３Ａ及び延出部３Ｂを構成する表側ベルト布３ａ及び表側ベルト布３ｂや、身頃４Ｂ，４Ｆと共地（綿生地等）で形成することもできるし、一般的なスーツ等のズボンの腰裏の裏地、ポケットの袋布（スレーキ）、リボンテープ等に使用されている伸縮性を有しない生地、例えば、ポリエステル系、ナイロン系、レーヨン系、綿等の生地を採用できる。よって、腰裏のデザイン自由度やデザイン性が高い。
【００４７】
例えば、一般的なスーツ等のズボンの腰裏で帯状のマーベルトとして用いられている綿生地、スレーキ生地等の薄くて柔らかい生地を採用すると、履き心地を落ち着かせて、着用時の快適性やフィット感を高めることができるようになる。また、摩擦係数の高いラバー生地等によれば、タックインしたシャツを押さえてずれ上がりを防止すると共に、履き心地を落ち着かせて、着用時の快適性やフィット感を高めることができる。更に、シリコン等により滑止加工された生地を用いることでも同様の効果が得られる。収容側布地２０Ａ及び延出側布地２０Ｂの下端にパイビングを施す仕様も同様である。収容部３Ａ及び延出部３Ｂを構成する表側ベルト布３ａ及び表側ベルト布３ｂや、身頃４Ｂ，４Ｆと共地で収容側布地２０Ａ及び延出側布地２０Ｂを形成した場合には、統一感のあるものとなる。
【００４８】
なお、収容側布地２０Ａ及び延出側布地２０Ｂを構成する綿生地、スレーキ生地、ラバー生地等の生地は、単一の１枚の生地のみを使用することも可能であるが、２枚以上の同一生地を、または、異なる生地を組み合わせた２枚以上を上下方向で重ね合わせて複数段とする構成を採ることで、生地の重ね合わせによって、更に異なる生地を組み合わせた場合には生地の質感（摩擦抵抗）等の違いによって、滑り止め機能を持たせたることができる。加えて、腰裏のデザインバリエーションを増大させることができる。
【００４９】
勿論、収容側布地２０Ａ及び延出側布地２０Ｂには、パワーネット、サテンネット、ストレッチサテン、ストレッチレース等の伸縮性を有する生地を用いても良い。また、縦横方向に伸縮性を有しない生地でも、繊維の織目方向を斜めに、所謂バイアス方向で裁断（バイアス裁断）することで、伸縮性を得ることができ、このようにして伸縮性を得たバイアスを使用すると、引張り力がかかった際でも生地にかかる負荷が少なく、長期間の着用でも生地を傷めにくい。
【００５０】
また、収容側布地２０Ａ及び延出側布地２０Ｂには、補強用の接着芯、芯地といった芯材２２を取付けてもよい。芯材２２を取付けることで、収容側布地２０Ａ及び延出側布地２０Ｂの撚れを少なくして張りを持たせることができ、見栄えを向上させ、また、着心地を良くすることができる。芯材２２の取付手段は特に限定されず、縫付けても良いし、アイロンプレス等を使用した接着であっても良い。
【００５１】
そして、本実施の形態に係る腰裏ベルト部１００では、収容部３Ａに縫付けられる収容側布地２０Ａ及び延出側布地２０Ｂに縫付けられる延出側布地２０Ｂのそれらの間に上位ゴム３１及び下位ゴム３２が取付けられている。
上位ゴム３１、下位ゴム３２としては、収容部３Ａ及び延出部３Ｂの間に取付けられた主弾性材（平ゴム６）の弾性力を妨げない程度にスムースな伸縮性を有していればよく、例えば、編ゴム、織ゴム等、コールゴム等の平ゴムが使用される。
【００５２】
本実施の形態では、別体である上位ゴム３１と下位ゴム３２がそれらの一部を重ねて上下方向（ウエスト周方向に対して直角方向）に配設され、スーツ用ズボン１において人体が挿入される側（履き口側）である上側の上位ゴム３１とその下側に位置する下位ゴム３２の各両端部が収容側布地２０Ａ及び延出側布地２０Ｂに縫付けられている。そして、上位ゴム３１と下位ゴム３２は、収容側布地２０Ａの一端部及び延出側布地２０Ｂの一端部との間で一体化されることなく分離して保持されている。
こうして、上方側の上位ゴム３１と、この上位ゴム３１の下方に重ねて配設される下方側の下位ゴム３２とにより、収容側布地２０Ａと延出側布地２０Ｂの間が接続されている。
【００５３】
上位ゴム３１と下位ゴム３２の厚みの重複は、上位ゴム３１及び下位ゴム３２が重なった状態での上下端間の長さ距離である縦幅全長の１／１０以上、８／１０以下の範囲内とするのが好ましく、より好ましくは、２／１０以上、５／１０以下、更に好ましくは、３／１０以上、５／１０以下である。上位ゴム３１と下位ゴム３２の厚みの重複領域が大きいと、着用時の重厚感が増して着心地が低下したり、弾性力が強くなり過ぎてウエストの締め付け力が大きくなり窮屈感が増大したりする。一方で、上位ゴム３１と下位ゴム３２の厚みの重複領域が小さいと、伸び力が低く、人体の動きに対する高いフィット性が得られない。上位ゴム３１と下位ゴム３２の厚みが重なる重複領域の縦幅長さが、上位ゴム３１及び下位ゴム３２が重なり合った状態での上下端間の長さ距離である縦幅全長に対して、１／１０以上、８／１０以下の範囲内であれば、より好ましくは２／１０以上、５／１０以下の範囲内、更に好ましくは３／１０以上、５／１０以下の範囲内であれば、締め付け力、窮屈感が強調されることなく、フィット感が増大する。
【００５４】
また、上位ゴム３１と下位ゴム３２の各縦幅長さ（本来の長さ）は、厚みを重複させた状態での上位ゴム３１と下位ゴム３２の縦幅の全長の５／１０以上、８／１０以下の範囲内が好ましく、より好ましくは、６／１０以上、８／１０以下の範囲内である。上記範囲内あれば、重なりによる重厚感も少なくて、より少ない力で伸び易くてフィット性が良く、締め付け感、窮屈感もより少ないものとなる。
【００５５】
なお、互いに一部を重ねて上下に配設する上位ゴム３１及び下位ゴム３２の縦幅の全長は、ウエストベルト１０表側の収容部３Ａ及び延出部３Ｂに縫付けた収容側布地２０Ａや延出側布地２０Ｂの縦幅の全長と比較して２ｃｍ以内の差（増減）はあるも、通常、同程度に設定される。例えば、腰裏ベルト部１００をマーベルト仕様にする場合には、互いに一部を重ねて上下に配設した上位ゴム３１及び下位ゴム３２の縦幅の全長が５ｃｍ〜７ｃｍ程度に設定され、腰裏ベルト部１００をウエストベルト１０表側の表側ベルト布３ａ，３ｂと共地仕様としたり、腰裏ベルト部１００の下端をパイピング仕様としたりする場合には、互いに一部を重ねて上下に配設した上位ゴム３１及び下位ゴム３２の縦幅の全長が３ｃｍ〜５ｃｍ程度に設定される。
【００５６】
特に、上位ゴム３１の上端と収容側布地２０Ａや延出側布地２０Ｂの上端との高さ位置の差が大きいと、ウエストベルト１０の裏側で収容部３Ａや延出部３Ｂの上端部の露出量が増えたり、収容側布地２０Ａや延出側布地２０Ｂの縫い代２０ａ，２０ｂが見えたりすることで、その内部構造や縫製の仕方に興味を持って主弾性材としてのゴムテープ６等の伸縮機構を無理に引き出して壊してしまったり、上位ゴム３１や下位ゴム３２の縫製を壊してしまったりする恐れがある。また、見栄えの確保等のために、上位ゴム３１及び下位ゴム３２が縫付けられている収容側布地２０Ａの一端部や延出側布地２０Ｂの一端部の上端部で縫い代２０ａ，２０ｂのＦ部分（図３参照）の浮きを抑えるべくそこを収容側布地２０Ａの一端部や延出側布地２０Ｂの一端部に縫付ける必要がある。しかし、上位ゴム３１の上端を収容側布地２０Ａや延出側布地２０Ｂの上端の高さと一致させて連続的であると、或いは、１ｃｍ以下の差であれば、上記事態を防止でき、縫製工程もより簡単で済む。
【００５７】
更に、本実施の形態において、上位ゴム３１と下位ゴム３２の前後方向の配置関係は、腰裏ベルト部１００の表側（意匠面側、身体側）から見て、下位ゴム３２の後方に上位ゴム３１が配設され両者の一部が重ねられても良いし、下位ゴム３２の前方に上位ゴム３１が配設され両者の一部が重ねられても良い。
特に、図１１乃至図１３に示すように、腰裏ベルト部１００の表側（意匠面側、身体側）から見て、下位ゴム３２よりも上位ゴム３１が手前にあり、上位ゴム３１の下端縁が下位ゴム３２よりも手前にくることで、タックインしたシャツのずれ上がりを防止する滑り止め機能を持たせたることができる。
【００５８】
また、上位ゴム３１と下位ゴム３２の収容側布地２０Ａ及び延出側布地２０Ｂへの縫付けによって収容側布地２０Ａ及び延出側布地２０Ｂの間を接続する上位ゴム３１と下位ゴム３２の各接続長さは、同一としても良いし、相違させてもよい。即ち、上位ゴム３１の収容側布地２０Ａ及び延出側布地２０Ｂへの縫付位置と、下位ゴム３２の収容側布地２０Ａ及び延出側布地２０Ｂへの縫付位置とが、ウエスト周方向（長さ方向）にずれた位置であっても良いし、上下で垂直方向に一致させても良い。
【００５９】
特に、本実施の形態では、別体に形成された上位ゴム３１と下位ゴム３２をそれらの一部で重ねて上下方向に配設して収容側布地２０Ａ及び延出側布地２０Ｂの間を接続し、上位ゴム３１と下位ゴム３２が収容側布地２０Ａの一端部及び延出側布地２０Ｂの一端部との間で一体化されずに分離している構成であるため、ウエストベルト１０に引張り力がかかった際に上位ゴム３１と下位ゴム３２にかかる負荷が分散される。更に、収容側布地２０Ａ及び延出側布地２０Ｂへの上位ゴム３１と下位ゴム３２の縫製の縫い目や、収容側布地２０Ａ及び延出側布地２０Ｂにかかる負荷も分散されるから、それら縫い目も解け難く、収容側布地２０Ａ及び延出側布地２０Ｂの生地の傷みも生じ難いものとなる。
また、上位ゴム３１と下位ゴム３２とで収容側布地２０Ａ及び延出側布地２０Ｂへの縫付け位置を相違させても、伸縮力の差による縫付線の縫い目や、上位ゴム３１、下位ゴム３２への負荷は小さい。
よって、長期間の着用でも腰裏ベルト部１００の伸縮性、弾力性が低下しにくい。
【００６０】
そして、上位ゴム３１と下位ゴム３２とで接続長さを相違させ伸びによる変化を上下で相異させても、ゴムの耐久性が低下することもなく、縫い目も解れにくいことから、ゴムや縫い目にかかる負荷を増大させることなく、従来とウエスト周方向における弾性材の露出長さを同等とするも上位ゴム３１または下位ゴム３２で従来よりも接続長さを長くしてより伸び易くできる。
【００６１】
一方、収容側布地２０Ａ及び延出側布地２０Ｂへの上位ゴム３１と下位ゴム３２への縫付線を上下方向に垂直な１直線、即ち、上位ゴム３１の上端から下位ゴム３２の下端まで連続する垂直な１直線で上位ゴム３１と下位ゴム３２を収容側布地２０Ａ及び延出側布地２０Ｂへ縫付けて、上位ゴム３１と下位ゴム３２の接続長さを一定とすると、縫製に不慣れな作業者でも分かり易く、作業効率が良いものとなる。
【００６２】
そして、このように構成された腰裏ベルト部１００は、図３乃至図５に示すように、ウエストベルト１０の裏側に配設され、腰裏ベルト部１００の収容側布地２０Ａがウエストベルト１０の表側の収容部３Ａの上端部に縫付線１０１ａにて縫付けられ、腰裏ベルト部１００の延出側布地２０Ｂがウエストベルト１０の表側の延出部３Ｂの上端部に縫付線１０１ｂにて縫付けられている。このとき、収容側布地２０Ａ及び延出側布地２０Ｂの間を接続する上位ゴム３１及び下位ゴム３２は収容部３Ａの一端から前中心ＦＣに向かう延出部３Ｂ側に位置して、その部分では上位ゴム３１及び下位ゴム３２が延出部３Ｂに縫付けられていないことで上位ゴム３１及び下位ゴム３２による所定の伸びを確保し、ウエストベルト１０に引張り力が加わった際に、延出部３Ｂが収容部３Ａから引き出される方向に移動すると共に、腰裏ベルト部１００がスムースに伸びるようにしている。なお、腰裏ベルト部１００の下端は、部分的な縫付線１０２にて身頃４Ｆ，４Ｂや袋布２Ｃに縫付けられている。
【００６３】
こうして、本実施の形態のスーツ用ズボン１においては、ウエストベルト１０に引張り力がかかると、収容部３Ａと延出部３Ｂに両端部が接続された主弾性材としてのゴムテープ６が伸び、延出部３Ｂが収容部３Ａから抜きだす方向に移動する。このとき、収容部３Ａと延出部３Ｂの裏側に縫着された腰裏ベルト部１００では、収容側布地２０Ａ及び延出側布地２０Ｂの間を接続する上位ゴム３１及び下位ゴム３２によって所定の伸びが確保されている。即ち、ウエストベルト１０に引張り力がかかると、主弾性材としてのゴムテープ６が伸びて延出部３Ｂが収容部３Ａから抜きだす方向に移動すると共に、上位ゴム３１及び下位ゴム３２が伸びる。このようにして、ウエストが伸縮自在とされている。
【００６４】
なお、本実施の形態では、ウエストベルト１０に引張り力がかかっていない場合には、図１（ｂ）に示されるように、脇ポケット２のポケット口外縁２Ａの上部が、ウエストベルト１０の表側の収容部３Ａと延出部３Ｂの境界付近に設けられたベルト通し５Ａに近く、ウエストベルト１０に引張り力がかかると、図１（ｃ）に示されるように収容部３Ａから延出部３Ｂが延びて、それと一体にポケット口外縁２Ａの上部もベルト通し５Ａから遠ざかる方向に移動し、脇ポケット２の表出する面積が拡大する。
【００６５】
因みに、図１（ｂ）及び図１（ｃ）において、脇ポケット２の袋布２Ｃが表側から見えないようにするために、前身頃４Ｂ及び後身頃４Ａと共地の綿生地からなる当て布２Ｂが左右一対の脇ポケット２の表側（外側）に縫付けられている。この当て布２Ｂは、少なくとも、ウエストベルト１０が伸びたときに脇ポケット２のポケット口外縁２Ａが移動する範囲まで縫付けられている。これによって、ウエストベルト１０に引張り力がかかって脇ポケット２のポケット口外縁２Ａの上部が延出部３Ｂと一体に移動しても、前身頃４Ｂ及び後身頃４Ａと一体に見えるため、見栄えが良くなる。
なお、本実施の形態では、スーツ用ズボン１の左右の脇線ＬＳ，ＲＳの近傍の２箇所の収容部３Ａ及び延出部３Ｂの重ね合わせ部９に対応して、左右の脇線ＬＳ，ＲＳの近傍の２箇所にスーツ用ズボン１の上位ゴム３１及び下位ゴム３２が配設されて、腰裏布地１００の所定の伸びを確保している。
【００６６】
このように、本実施の形態のウエスト伸縮自在ボトムスとしてのスーツ用ズボン１は、ウエスト周りに配設するウエストベルト１０の表側に形成され、身頃４Ｆ，４Ｂに縫着していない一端部が延出する延出部３Ｂと、延出部３Ｂと共にウエストベルト１０の表側に形成され、延出部３Ｂの身頃４Ｆ，４Ｂに縫着していない一端部が重ねられて収められる収容部３Ａと、重ね合わせた延出部３Ｂと収容部３Ａに各端部が接続された主弾性材としてのゴムテープ６と、収容部３Ａの裏側に配設する収容側布地２０Ａと、延出部３Ｂの裏側に配設する延出側布地２０Ｂと、収容側布地２０Ａの一端部及び延出側布地３０Ｂの一端部に取付けられて収容側布地２０及び延出側布地３０Ｂの間を接続しウエストベルト１０の裏側で長手方向に伸縮自在で、互いに一部の厚みを重複させて上下に配設され収容側布地２０と延出側布地３０Ｂの間で結合されることなく対向している上位ゴム３１及び下位ゴム３２とを具備する。
【００６７】
このような本実施の形態のスーツ用ズボン１によれば、上位ゴム３１及び下位ゴム３２の厚みの重複により弾性力を高くでき、伸び量を向上できる。このとき、上位ゴム３１と下位ゴム３２はそれぞれの一部分が重なっており、しかも、収容側布地２０Ａと延出側布地２０Ｂの間で上位ゴム３１と下位ゴム３２が結合されていないと互いに動きが拘束され難いことから、伸ばす外力も少なくて済む。特に、上位ゴム３１及び下位ゴム３２の一部を重複させて上下に配設するものであるから、重厚感も少ない。そして、上位ゴム３１及び下位ゴム３２の一部を重複させて上下に配設するから上位ゴム３１と下位ゴム３２の各縦幅長さを従来の１枚ゴムよりも小さくでき、しかも、結合具４０が係合されていない状態では、収容側布地２０Ａと延出側布地２０Ｂの間で上位ゴム３１と下位ゴム３２が結合されないから、大きな力を加えることなく伸ばすことができる。よって、弾性力が向上するも、強力な締め付け感、窮屈感を生じさせることはない。
そして、少ない外力で高い伸縮力が得られヤング率を小さくできるから弾性力も低下し難く、耐久性が維持される。こうして、耐久性を維持しつつ、人体のウエストの動きに追従する滑らかな伸縮を確保し、フィット性を高めることができる。
【００６８】
また、上位ゴム３１及び下位ゴム３２の一部を重複させて上下に配設し収容側布地２０Ａと延出側布地２０Ｂの間を接続するから、ウエストベルト１０に引張り力がかかった際でも引張り力が上位ゴム３１と下位ゴム３２に分散されるから、上位ゴム３１と下位ゴム３２の各ゴムにかかる負荷が少なく、長期間の着用でもゴムの弾性力が低下しにくい。
【００６９】
そして、上位ゴム３１と下位ゴム３２は互いに一部で重なっており、上位ゴム３１の下端及び下位ゴム３２の上端が共に接するものではないから、上位ゴム３１の下端と下位ゴム３２の上端とが接することで伸縮時に互いに反発して接点で膨らみや凸状となることもなく、また、上位ゴム３１の下端と下位ゴム３２の上端との間で伸縮時に隙間が生じて、見栄えが低下することもない。
【００７０】
特に、互いに一部の厚みを重複させて上下に配設した上位ゴム３１と下位ゴム３２は、それら厚みを重複させた状態での縦幅の全長の１０％以上、８０％以下の範囲内で厚みを重複させていると、締め付け力、窮屈感が強調されることなく、より人体のウエストの動きに追従するフィット感が得られる。
また、上位ゴム３１と下位ゴ３２の各縦幅長さは、互いに厚みを重複させているときの上位ゴム３１と下位ゴム３２の縦幅の全長の５０％以上、８０％以下の範囲内であると、重厚感も少なくて、より少ない力で伸び易くてフィット性が良く、締め付け感、窮屈感もより少なくなる。
【００７１】
更に、本実施の形態では、このように別体である上位ゴム３１と下位ゴム３２を上下に配設して一部で重ね、収容側布地２０Ａ及び延出側布地２０Ｂの間で上位ゴム３１及び下位ゴム３２が結合されていないことにより、収容側布地２０Ａと延出側布地２０Ｂの間を接続する長さを上位ゴム３１と下位ゴム３２とで相異させても、伸長力の違いによって上位ゴム３１と下位ゴム３２にかかる負荷は小さい。したがって、上位ゴム３１または下位ゴム３２の一方で収容側布地２０Ａと延出側布地２０Ｂの間の接続長さを従来よりも長くしても上位ゴム３１と下位ゴム３２に多大な負荷をかけることもなく、上位ゴム３１または下位ゴム３２の一方で接続長さを長くすることでより伸び易くできる。
［実施例１］
【００７２】
以下、本発明の実施の形態に係るウエスト伸縮自在ボトムスとしてのスーツ用ズボン１について、具体的な実施例に即して説明するが、本発明はこれらの実施例に何ら限定されるものではない。
なお、図６乃至図１３における腰裏ベルト部１００は、収容部２０Ａ及び延出部２０Ｂに縫付ける前の縫製途中の構成を示しており、図３で示した腰裏ベルト部１００の上部の折り返し部分Ｆが展開された状態で示している。
【００７３】
本発明の実施例１に係るスーツ用ズボン１は、ウエスト周りに配設するウエストベルト１０の表側に形成され、身頃４Ｆ，４Ｂに縫着していない一端部が延出する延出部３Ｂと、延出部３Ｂと共にウエストベルト１０の表側に形成され、延出部３Ｂの身頃４Ｆ，４Ｂに縫着していない一端部が重ねられる収容部３Ａと、重ね合わせた延出部３Ｂと収容部３Ａに各端部が接続された主弾性材としてのゴムテープ６と、ウエストベルト１０の裏側に形成した腰裏ベルト部１００とを有する。
【００７４】
そして、本実施例１に係る腰裏ベルト部１００は、ウエストベルト１０表側の収容部３Ａ側に縫付けられる収容側布地２０Ａと、ウエストベルト１０表側の延出部３Ｂ側に縫付けられる延出側布地２０Ｂと、収容側布地２０Ａと延出側布地２０Ｂの間を接続しウエストベルト１０の長手方向に伸縮自在である上方側の第１の弾性材としての上位ゴム３１及び上位ゴム３１の下方に重ねて配設され上位ゴム３１とは別の下方側の第２の弾性材としての下位ゴム３２とから構成されている。
【００７５】
腰裏ベルト部１００の構造について、図６乃至図８を参照して、更に詳しく説明すると、本実施例１では、腰裏ベルト部１００を構成する収容側布地２０Ａ及び延出側布地２０Ｂが、ウエスト周方向に連続し腰裏の意匠面を形成する意匠生地２１及びその裏面側で長手方向に沿って意匠生地２１に縫付けられた芯材２２から構成されている。
【００７６】
本実施例１に係る意匠生地２１は、別体に形成された上位生地２１ａ、中間生地２１ｂ及び下位生地２１ｃにより構成され、これら上位生地２１ａ、中間生地２１ｂ及び下位生地２１ｃが相互に重ねられて、縫付線２３にて芯材２２と共に縫合わされている。
【００７７】
意匠生地２１の詳細な構成は、ウエスト周方向に延びる生地の下端部を所定幅で内側（裏面側）に折った上位生地２１ａに対し、その上位生地２１ａの折り返し部分（ループ側）の裏面側に、ウエスト周方向に延びる生地の縦幅方向（長手方向に対して直角方向）の両端部を重ね合わせ折って（生地を半分に折って）形成された縦幅の小さい中間生地２１ｂがその重ね合わせた端部側（反ループ側）で重ねられている。更にその裏面側には、ウエスト周方向に延びる生地の縦幅方向の両端部を重ね合わせて折った（生地を半分に折った）下位生地２１ｃがその重ね合わせた端部側（反ループ側）で重ねられている。
そして、これら上位生地２１ａ、中間生地２１ｂ及び下位生地２１ｃは相互に重ねられた位置で縫付線２３にて芯材２２と共に縫合わされている。なお、このときの縫合わせは、上位生地２１ａ、中間生地２１ｂ及び下位生地２１ｃの長手方向の全周に亘って施されている。
【００７８】
本実施例１では、このように腰裏の意匠面を形成する意匠生地２１としての上位生地２１ａ、中間生地２１ｂ及び下位生地２１ｃの下端部がそれぞれ折り返しによってループ状に閉じられており、下位生地２１ｃの上端部（重ね合わせた端部側）に中間生地２１ｂが重ねられ、更にその中間生地２１ｂの上側に上位生地２１ａの下端部（ループ側）が重ねられている。このように各生地を重ね合わせることによって段差（襞）が生じるため、この段差（襞）により滑り止め機能が発揮される。
よって、このような腰裏ベルト部１００が取付けられたスーツ用ズボン１を着用してウエストベルト１０の裏側の腰裏ベルト部１００側にシャツ等を入れた際に、腰裏ベルト部１００によってその入れたシャツ等がスーツ用ズボン１から食み出たり、スーツ用ズボン１が滑り落ちたりするのが防止され、着用感や快適さを高めることができる。
また、このような複数枚の生地による重層構成により腰裏のデザインのバリエーションを高めることができる。
【００７９】
なお、本発明を実施する場合には、意匠生地２１は、上述した上位生地２１ａ、中間生地２１ｂ及び下位生地２１ｃの重層構成に限定されるものではなく、例えば、更に複数の段差を設ける構成としてもよいし、上位生地２１ａ及び下位生地２１ｃの間に挟まれている中間生地２１ｂを省略してもよいし、ウエストベルト１０の表側の表側ベルト布３ａ，３ｂと共地仕様として生地同士を重ね合わせることなく全体を段差（襞）のない構成とすることも可能である。
また、上位生地２１ａ、中間生地２１ｂ、下位生地２１ｃの各生地は素材が同一であっても良いし、異なるものであっても良い。上位生地２１ａ、中間生地２１ｂ、下位生地２１ｃの各生地の素材を同一としたり伸縮性に相違がないと、ウエストベルト１０に引張り力がかかった際でも、縫付線２３や生地にかかる負荷も少ない。一方、異なる素材を使用することで、滑り止め機能を強化することができたり、デザインのバリエーションを持たせたりすることができる。また、上位生地２１ａ、中間生地２１ｂ、下位生地２１ｃの各生地は、単一の生地に限定されず、素材が同一または異なる複数の生地を縫製等により接ぎ合わせたものであってもよい。特に、中間生地２１ｂは、ジャガードテープやオペロンテープ等を使用することもできる。また、意匠生地２１においてシリコーンゴム等の配合、加工により滑り止め機能を強化することもできる。
【００８０】
更に、本実施例１では、これら上位生地２１ａ、中間生地２１ｂ及び下位生地２１ｃからなる意匠生地２１の内側（裏側）に、網目に編成されたネット構造であるメッシュ生地を所定寸法でバイアス裁断したバイアス生地からなる芯材２２を縫付けて補強している。なお、このメッシュ生地には、例えば、意匠生地２１を構成する綿生地やスレーキ生地等よりも比較的ハードな生地が使用され、メッシュ構造やバイアス裁断により多少の弾性変形を付与できる。よって、生地にかかる負荷が少なく、長期間の着用でも生地を傷めにくい。また、メッシュの密度の選択により、補強効果（硬さ）や弾性変形を調節できる。
芯材２２は、意匠生地２１を構成している上位生地２１ａ、中間生地２１ｂ及び下位生地２１ｃの内側（裏側）でそれらの長さ方向の全長に沿って配設され、その縦幅方向の中央側で縫付線２３にて意匠生地２１に縫合わされている。しかし、意匠生地２１と芯材２２の縫合わせは、１つの縫付線２３で共通させることなく、分散させてもよい。
【００８１】
なお、収容側布地２０Ａや延出側布地２０Ｂが複数の生地の縫合わせにより構成される場合、その縫い方や縫糸は特に問われないが、例えば、鎖縫い（チェーンステッチ）等とすることで、腰裏ベルト部１００全体のスムースな伸縮性を妨げることのない縫合わせ方となって、スムースな伸縮が得られる。また、伸縮性を有する糸、例えば、ウーリー糸、ユニロン（登録商標）糸、レジロン（登録商標）糸等を使用することでもスムースな伸縮が得られる。
因みに、意匠生地２１の内側に縫付ける芯材２２は、意匠生地２１の縦幅全長（長さ方向に対して直角な幅）よりもその縦幅長さを短く設定することにより、意匠生地２１及び芯材２２の縫合わせ時に僅かなずれが生じた場合でも、意匠面側（ウエストベルト１０の裏側）から見て芯材２２が意匠生地２１の下端から露出して外観性を低下させることのないようにしている。
【００８２】
このように、本実施例１では、上位生地２１ａ、中間生地２１ｂ及び下位生地２１ｃにより構成された意匠生地２１の内側（裏側）に芯材２２が縫付線２３にて縫合わされて収容側布地２０Ａ及び延出側布地２０Ｂを構成している。
そして、収容側布地２０Ａ及び延出側布地２０Ｂとの間を、上下に配設し一部を重ね合わせた上位ゴム３１及び下位ゴム３２で接続することで、本実施例１に係る腰裏ベルト部１００を形成している。
【００８３】
ここで、本実施例１における収容側布地２０Ａ及び延出側布地２０Ｂとの間を接続する上位ゴム３１と下位ゴム３２の構成について、図６乃至図８を参照して詳細に説明する。
本実施例１では、腰裏ベルト部１００の表面側から見て、即ち、ウエストベルト１０の裏面側を形成する腰裏の意匠面側（意匠生地１０側）から見て、下位ゴム３２の裏側であってその上方側に上位ゴム３１の下方側が重ねられており、上位ゴム３１よりも下位ゴム３２が手前に配設されて、上位ゴム３１及び下位ゴム３２が収容側布地２０Ａ及び延出側布地２０Ｂの間を接続している。即ち、腰裏ベルト部１００の表面側から見て、下位ゴム３２の上方側の裏面と上位ゴム３１の下方側の表面が対向するように重ねられている。
【００８４】
縫製手順で説明すると、図６（ａ）に示すように、まず、収容側布地２０Ａの一端部に斜線の灰色領域で示した縫い代２０ａを１ｃｍ〜１．５ｃｍとって、その下位側で所定長の下位ゴム３２の一端部側を縫付線２４ａにて縫付け、また、同様に、延出側布地２０Ｂの一端部に斜線の灰色領域で示した縫い代２０ｂを１ｃｍ〜１．５ｃｍとって、その下位側で下位ゴム３２の反対側の一端部を縫付線２４ｂにて縫付ける。このとき、下位ゴム３２は、その下端が収容側布地２０Ａ及び延出側布地２０Ｂの下端に一致させて配置している。
続いて、収容側布地２０Ａの縫い代２０ａ及び延出側布地２０Ｂの縫い代２０ｂを下位ゴム３２と共に裏側に折り返し、折り返し線（折り目）に沿って、収容側布地２０Ａ、延出側布地２０Ｂの各縦幅（ウエスト周方向に対して直角な方向の幅）の全長に亘るステッチ２５ａ，２５ｂ（折り目から１〜３ｍｍ離れた位置のコバステッチ）を施す。これにより、縫製を強化すると共に、デザイン性を持たせている。
【００８５】
次に、図７に示すように、縫付線２４ａ，２４ｂ及びステッチ２５ａ，２５ｂにて収容側布地２０Ａの一端部及び延出側布地２０Ｂの一端部に縫付けられた下位ゴム３２の上方に上位ゴム３１が配置される。このとき、上位ゴム３１の下方側が、下位ゴム３２の上方側に重ねられ、図７（ａ）の腰裏ベルト部１００の表面側である腰裏の意匠面側から見て、下位ゴム３２の後方に上位ゴム３１が配置される。
【００８６】
そして、図７（ａ）の腰裏ベルト部１００の表面側である腰裏の意匠面側から見て、下位ゴム３２の上方にその後方で重ねられた上位ゴム３１は、縫付線２４ａ，２４ｂ及びステッチ２５ａ，２５ｂから、０．５ｍｍ〜１．５ｍｍ、好ましくは０．８ｍｍ〜１．２ｍｍ離れた位置で、収容側布地２０Ａの縫い代２０ａ及び延出側布地２０Ｂの縫い代２０ｂを含めて（貫通させて）、収容側布地２０Ａ、延出側布地２０Ｂの各縦幅の全長に亘る縫付線２６ａ，２６ｂによって収容側布地２０Ａ及び延出側布地２０Ｂに縫付けられる。
【００８７】
こうして、図７及び図８に示すように、本実施例１においては、下位ゴム３２の一端部を収容側布地２０Ａの一端部に縫付線２４ａによる縫付けによって、また、下位ゴム３２の反対側の他端部を延出側布地２０Ｂの一端部に縫付線２４ｂによる縫付けによって、収容側布地２０Ａ及び延出側布地２０Ｂの間の下位側を下位ゴム３２によって接続している。更に、腰裏ベルト部１００の表面側である腰裏の意匠面側から見て、下位ゴム３２の上方に、その後方で重ねて配設し上位ゴム３１の一端部を収容側布地２０Ａの一端部に縫付線２４ａ及びステッチ２５ａよりも所定距離離れた外側（収容側布地２０Ａの端縁から遠のく方向）で縫付線２６ａによる縫付けによって、また、上位ゴム３１の反対側の他端部を延出側布地２０Ｂの一端部に縫付線２４ｂ及びステッチ２５ｂよりも所定距離離れた外側（延出側布地２０Ｂの端縁から遠のく方向）で縫付線２６ｂによる縫付けによって、収容側布地２０Ａ及び延出側布地２０Ｂの間の上位側を上位ゴム３１により接続している。
【００８８】
そして、本実施例１では、上位ゴム３１の下方が下位ゴム３２の上方に重なった状態で、収容側布地２０Ａ及び延出側布地２０Ｂの縦幅方向の全長に亘る縫付線２６ａ，２６ｂにて上位ゴム３１と下位ゴム３２が共に収容側布地２０Ａ及び延出側布地２０Ｂに縫付けられているが、縫付線２６ａと縫付線２６ｂの間では、上位ゴム３１と下位ゴム３２は互いに縫合わせられておらず結合していない。
【００８９】
また、本実施例１に係る腰裏ベルト部１００においては、腰裏ベルト部１００の表面側である腰裏の意匠面側から見て、上位ゴム３１の下方前方で下位ゴム３２が重ねられており、下位ゴム３２の上下両端が表出している。
【００９０】
ここで、本実施例１においては、収容側布地２０Ａ及び延出側布地２０Ｂの間を接続する接続長さが、下位ゴム３２では縫付線２４ａ及び縫付線２４ｂ間の距離であるのに対し、上位ゴム３１では、縫付線２４ａ及び縫付線２４ｂよりも外側の縫付線２６ａ及び縫付線２６ａ間の距離長さとなっており、下位ゴム３２よりも上位ゴム３１の接続長さを長くしている。
即ち、腰裏の意匠面側から見て収容側布地２０Ａ及び延出側布地２０Ｂの間に表出するゴムのウエスト周方向の長さは見た目には従来と変わらないものとするも、上位ゴム３１を縫付線２６ａ，２６ｂによって収容側布地２０Ａ及び延出側布地２０Ｂに縫付けることにより下位ゴム３２よりも接続長さを長くして、より伸び易くすることができる。
【００９１】
特に、本実施例１では、このように下位ゴム３２よりも上位ゴム３１の接続長さを長くして上位ゴム３１の伸びの変化を大きくしても、別体に形成した上位ゴム３１と下位ゴム３２をそれらの一部で重ねて上下方向（ウエスト周方向に対して直角方向）に配設しており、収容側布地２０Ａ及び延出側布地２０Ｂの間で上位ゴム３１及び下位ゴム３２が相互に結合されていないから、上位ゴム３１と下位ゴム３２にかかる伸び変化の相違による負荷は小さい。
【００９２】
なお、このように下位ゴム３２よりも上位ゴム３１の接続長さを長くした実施例１では、収容側布地２０Ａの一端縁と縫付線２６ａの間では、収容側布地２０Ａと上位ゴム３１が縫着されていないが、その上端部が縫付線１０１ａによってウエストベルト１０表側の収容部３Ａに縫付けられるため、また、延出側布地２０Ｂの一端縁と縫付線２６ｂの間でも、延出側布地２０Ｂと上位ゴム３１が縫着されていないが、その上端部が縫付線１０１ｂによってウエストベルト１０表側の延出部３Ｂに縫付けられるため、収容側布地２０Ａや延出側布地２０Ｂの上方側で収容側布地２０Ａや延出側布地２０Ｂが捲れて美観を損ねることもない。即ち、収容側布地２０Ａや延出側布地２０Ｂの上方側の捲れ防止のために別途縫製を行わなくても良い。
【００９３】
このように構成された本実施例１に係る腰裏ベルト部１００は、図３乃至図５に示すようにウエストベルト１０の裏側に縫付けられ、具体的には、腰裏ベルト部１００の収容側布地２０Ａがウエストベルト１０表側の収容部３Ａの上端部に縫付線１０１ａにて縫付けられ、腰裏ベルト部１００の延出側布地２０Ｂがウエストベルト１０表側の延出部３Ｂの上端部に縫付線１０１ｂにて縫付けられる。なお、図７や図８で示した腰裏ベルト部１００はその上端部で内側に折り返し、図３に示すように、その折り返し部分Ｆを、収容部３Ａや延出部３Ｂの上端部の内折り部分に対向させ、縫付線１０１ａ，１０１ｂにて縫付けられる。このとき、収容部３Ａ及び延出部３Ｂの内折部分が展開した状態で腰裏ベルト部１００が縫付けられ、収容部３Ａ及び延出部３Ｂの内折部分のみに腰裏布地１００が縫付けられて、その縫付線１０１ａ，１０１ｂは収容部３Ａ及び延出部３Ｂの表裏を貫通することなくウエストベルト１０の表側に表れないようになっている。
【００９４】
そして、収容側布地２０Ａ及び延出側布地２０Ｂの間を接続する上位ゴム３１及び下位ゴム３２が収容部３Ａの一端から前中心ＦＣに向かう延出部３Ｂ側に位置して、その部分では上位ゴム３１及び下位ゴム３２が延出部３Ｂに縫付けられていないことで上位ゴム３１及び下位ゴム３２による所定の伸びを確保し、ウエストベルト１０に引張り力が加わった際に、延出部３Ｂが収容部３Ａから引き出される方向に移動すると共に、腰裏ベルト部１００がスムースに伸びるようにしている。
【００９５】
特に、本実施例１に係る腰裏ベルト部１００は、上位ゴム３１と下位ゴム３２のそれらの一部を重ねて上下方向（ウエスト周方向に対して直角方向）に配設して、一部で厚みを重複させた上位ゴム３１及び下位ゴム３２によって収容側布地２０Ａ及び延出側布地２０Ｂを接続しており、収容側布地２０Ａ及び延出側布地２０Ｂの間で上位ゴム３１及び下位ゴム３２は一体となっておらずに分離している。
【００９６】
したがって、本実施例１に係るスーツ用ズボン１によれば、腰裏ベルト部１００において、別体である上位ゴム３１と下位ゴム３２を上下に配設して一部で重ねており、収容側布地２０Ａ及び延出側布地２０Ｂの間で上位ゴム３１及び下位ゴム３２が一体でなく分離しているから、強力な締め付け感、窮屈感を生じさせることなく弾性力を強化でき、少ない外力で高い伸縮力を得ることができる。よって、ヤング率の高い弾性材を選択しなくとも少ない外力で伸び易く、ヤング率を小さくできるから耐久性も維持される。こうして、耐久性を維持しつつ、強力な締め付け感、窮屈感を生じさせることなく人体のウエストの動きに追従するフィット性を高めることができ、着用感を向上させることができる。
【００９７】
特に、本実施例１に係るスーツ用ズボン１によれば、下位ゴム３２よりも上位ゴム３１の接続長さを長くし下位ゴム３２よりも上位ゴム３１の伸びの変化を大きくしており、上位ゴム３１と下位ゴム３２とで伸びによる変化を相違させている。これより、引張り力がかかった際に、上位ゴム３１と下位ゴム３２にかかる負荷が分散されるから、上位ゴム３１と下位ゴム３２を長持ちさせることができる。そして、収容側布地２０Ａ及び延出側布地２０Ｂへの上位ゴム３１及び下位ゴム３２の縫製の縫い目（縫付線２４ａ，２４ｂ、ステッチ２５ａ，２５ｂ、縫付線２６ａ，２６ｂ）にかかる負荷や、上位ゴム３１と下位ゴム３２が縫付けられた収容側布地２０Ａの一端部及び延出側布地２０Ｂの一端部にかかる負荷も分散されるから、それら縫い目の解れも生じ難く、また、生地を傷めにくい。
【００９８】
なお、本実施例１では収容側布地２０Ａ及び延出側布地２０Ｂの間の接続長さについて下位ゴム３２よりも上位ゴム３１の接続長さを長くしており、図７乃至図９においては、所定長の縫い代や強度確保等のために下位ゴム３２よりも上位ゴム３１の長さが長くなっているが、本発明を実施する場合には下位ゴム３２と上位ゴム３１の長さは同一であってもよい。また、下位ゴム３２の長さが、所定長の縫い代や強度確保等のため収容側布地２０Ａ及び延出側布地２０Ｂに縫付けるときの縫付線２６ａ，２６ｂ間の距離長さ以上に設定されて、下位ゴム３２は上位ゴム３１が重ねられた状態でそれと共に収容側布地２０Ａ及び延出側布地２０Ｂに縫付線２６ａ，２６ｂにより縫付けられているが、本発明を実施する場合には、下位ゴム３２の長さを縫付線２６ａ，２６ｂ間の距離長さ未満として、下位ゴム３２は縫付線２６ａ，２６ｂで上位ゴム３１と共に収容側布地２０Ａや延出側布地２０Ｂに縫付けられることなく縫付線２４ａ，２４ｂ及びステッチ２５ａ，２５ｂのみで収容側布地２０Ａや延出側布地２０Ｂに縫付ける構成としても良い。また、ステッチ２５ａ，２５ｂを省略することも可能である。
【００９９】
ここで、収容側布地２０Ａ及び延出側布地２０Ｂの間を接続する上位ゴム３１や下位ゴム３２の接続長さ、上位ゴム３１と下位ゴム３２の重複構造を変化させた腰裏ベルト部１００のサンプル１〜サンプル４を作製し、伸び特性を調べた。作製した腰裏ベルト部１００のサンプル１〜サンプル４の上位ゴム３１、下位ゴム３２の寸法等を表１に示す。
【０１００】
【表１】
2018119232.tif 000003
【０１０１】
作製した腰裏ベルト部１００のサンプル１〜サンプル４は、図７に示すように、収容側布地２０Ａの一端部及び延出側布地２０Ｂの一端部の下方側に縫付線２４ａ，２４ｂ、ステッチ２５ａ、２５ｂ及び縫付線２６ａ、２６ｂにて下位ゴム３２の両端部が縫付けられ、また、下位ゴム３２の上方であってその後方で上位ゴム３１が重ねられて収容側布地２０Ａの一端部及び延出側布地２０Ｂの一端部の上方側に縫付線２６ａ，２６ｂにて上位ゴム３１の両端部が縫付けられたものである。
【０１０２】
ここで、表１において、上位ゴム３１の接続長さ（ｃｍ）は、収容側布地２０Ａと延出側布地２０Ｂの間を上位ゴム３１によって接続するその長さである。即ち、上位ゴム３１を収容側布地２０Ａの一端部に縫付線２６ａによって縫付け、また、延出側布地２０Ｂの一端部に縫付線２６ｂによって縫付けたその縫付線２６ａと縫付線２６ｂ間の距離長さである。
【０１０３】
図７を参照して説明すると、上位ゴム３１を収容側布地２０Ａに縫付けた縫付線２６ａと、上位ゴム３１を延出側布地２０Ｂに縫付けた縫付線２６ｂとのそれら相互間の距離長さａが、伸びていない通常状態にある上位ゴム３１の収容側布地２０Ａと延出側布地２０Ｂの間の接続長さとされる。
【０１０４】
同様に、下位ゴム３２の接続長さ（ｃｍ）は、収容側布地２０Ａと延出側布地２０Ｂの間を下位ゴム３２によって接続するその長さである。即ち、下位ゴム３２を収容側布地２０Ａの一端部に縫付線２４ａによって縫付け、また、延出側布地２０Ｂの一端部に縫付線２４ｂによって縫付けたその縫付線２４ａと縫付線２４ｂ間の距離長さである。
【０１０５】
図７を参照して説明すると、下位ゴム３２を収容側布地２０Ａに縫付けた縫付線２４ａと、下位ゴム３２を延出側布地２０Ｂに縫付けた縫付線２４ｂとのそれら相互間の距離長さｂが、伸びていない通常状態にある上位ゴム３１の収容側布地２０Ａと延出側布地２０Ｂの間の接続長さとされる。
【０１０６】
また、上位ゴム３１、下位ゴム３２の縦幅の長さ（ｃｍ）は、ウエストの周方向の長手方向に対する直角方向の長さ、即ち、上位ゴム３１の上端から下端までの長さ、下位ゴム３２の上端から下端までの長さであり、図７を参照して説明すると、上位ゴム３１の縦幅の長さはｃ、下位ゴム３２の縦幅の長さはｄで示されている。
そして、図７（ａ）で示した斜線の灰色領域Ｒは、上位ゴム３１と下位ゴム３２の厚みが重複する重複領域Ｒであり、重複領域Ｒの縦幅の長さはｅで示されている。
更に、上位ゴム３１と下位ゴム３２の全長とは、上位ゴム３１及び下位ゴム３２の本来の長さの加算値（ｃ＋ｄ）を意味するものではなく、上位ゴム３１及び下位ゴム３２が重なっている状態での上位ゴム３１の上端から下位ゴム３２の下端までの上下端間の見かけ上の長さ距離を意味し、図７において上位ゴム３１と下位ゴム３２の全長はｆで示されている。
【０１０７】
そして、表１に示したように上位ゴム３１、下位ゴム３２を所定幅で重複させ、収容側布地２０Ａ及び延出側布地２０Ｂに縫製して所定長さで収容側布地２０Ａ及び延出側布地２０Ｂの間を接続して作製した腰裏ベルト部１００のサンプル１〜サンプル４を、上述した構成のスーツ用ズボン１のウエストベルト１０の裏側に縫付けた。
ここでは、スーツ用ズボン１のウエスト部１５の半周分の右または左身頃に、ゴムテープ６で弾性的に接続されウエストベルト１０の半周分の表側を形成する収容部３Ａ及び延出部３を縫合わせて作製した試験体を用意し、かかる試験体のウエストベルト１０の半周分の裏側にサンプル１〜サンプル４の腰裏ベルト部１００を縫付けた（図４に示したウエスト部１５の右側または左側が半周分に相当）。
【０１０８】
具体的には、図３に示すように、作製したサンプル１〜サンプル４の腰裏ベルト部１００の収容側布地２０Ａを、スーツ用ズボン１のウエスト部１５の半周分に対応したウエストベルト１０表側の収容部３Ａの上端部に縫付線１０１ａにて縫付け、また、延出側布地２０Ｂをウエストベルト１０表側の延出部３Ｂの上端部に縫付線１０１ｂにて縫付けた。このとき、収容側布地２０Ａ及び延出側布地２０Ｂの間を接続する上位ゴム３１と下位ゴム３２は、収容部３Ａの一端から延出部３Ｂ側に向かって配設され、収容側布地２０Ａ及び延出側布地２０Ｂの間では、上位ゴム３１と下位ゴム３２が延出部３Ｂに縫付けられていない。
また、腰裏ベルト部１００の下端部では、図４に示すように、半周分の身頃や袋布２Ｃに対して部分的な縫付線１０２にて縫付けを行った。
【０１０９】
なお、収容部３Ａや延出部３Ｂに縫付けたときの収容側布地２０Ａや延出側布地２０Ｂの縦幅長さ（ウエスト周方向に対して直角方向の長さ）は約６ｃｍ程度である。これに対し、互いに厚みを重複させている上位ゴム３１及び下位ゴム３２の縦幅の全長ｆもサンプル１、サンプル２、サンプル４では６ｃｍで収容側布地２０Ａや延出側布地２０Ｂの縦幅長さと同程度である。一方、サンプル３では、上位ゴム３１及び下位ゴム３２の縦幅の全長ｆは５．５ｃｍであり、下位ゴム３２の下端を収容側布地２０Ａや延出側布地２０Ｂの下端と一致させるも、上位ゴム３１の上端は収容側布地２０Ａや延出側布地２０Ｂの上端よりも０．５ｃｍ低い位置としている。
【０１１０】
更に、比較のために、従来例として収容側布地２０Ａと延出側布地２０Ｂの間を１本の弾性材（サンプル１〜サンプル４と同一のゴム（樹脂加工されたソフトオペロン；ポリエステル８５％、ポリウレタン１５％）からなり、サンプル１〜サンプル４の上位ゴム３１、下位ゴム３２の各縦幅寸法より長いもの）で接続した比較例１及び比較例２に係る腰裏ベルト部１００も作製した。そして、上記サンプル１〜サンプル４と同様の条件で、ゴムテープ６で接続された半周分の収容部３Ａ及び延出部３Ｂを半周分の半身頃に縫合せて作製した試験体の収容部３Ａ及び延出部３Ｂの裏側に比較例１及び比較例２に係る腰裏ベルト部１００を縫付けた。なお、比較例１，２に係る腰裏ベルト部１００においても１本の弾性材の各端部は、上記サンプル１〜サンプル４と同様に縫付線２４ａ，２４ｂ、ステッチ２５ａ、２５ｂ及び縫付線２６ａ、２６ｂに相当する３本(両端部で６本)の縫付線によって収容側布地２０Ａ及び延出側布地２０Ｂに縫付けており、縫付線２４ａと縫付線２４ｂに相当するそれらの離間距離が比較例の弾性材の接続長さである。
【０１１１】
そして、ウエスト部１５の半周分の試験体にサンプル１〜サンプル４、比較例１，２の腰裏ベルト部１００を縫付けてウエスト方向に最大限に引っ張ったときのウエストの伸び量（ｃｍ）を測定した。
【０１１２】
ウエストの伸び量（ｃｍ）については、半周分の身頃に半周分のウエストベルト１０表側の収容部３Ａ及び延出部３Ｂを縫付けて作製した試験体のウエストベルト１０の腰裏に腰裏ベルト部１００のサンプル１〜サンプル４、比較例１，２を縫付けて、半周分のウエストを長手方向に最大限に引張ったときの伸び長さ（ｃｍ）を測定した。
なお、上記試験体では伸び止め材７を使用しなかったが、半身頃に設けた脇ポケット２を構成する袋布２Ｃのタック２Ｄの開きの限度が伸び止め機能を発揮して、最大伸びは４ｃｍに制限されている。
【０１１３】
表１に示すように、１つの弾性材で収容側布地２０Ａ及び延出側布地２０Ｂを接続している従来例としての比較例１，２では、弾性材の接続長さが４ｃｍの比較例１で最大の伸びが２〜２．５ｃｍ、弾性材の接続長さが５ｃｍの比較例２でも最大伸びが３ｃｍであった。
これに対し、サンプル１〜サンプル４においては、何れもウエストの伸び量は４．５ｃｍ〜６ｃｍであり、比較例１，２よりも伸び量が大きくなっている。
【０１１４】
しかも、サンプル１〜サンプル４において、半周分のウエストを長手方向に最大限に引張ったときの力は、従来例としての比較例１，２と同程度であり、従来と同程度の力でウエストを伸ばすことができた。
【０１１５】
特に、サンプル１〜サンプル４においては下位ゴム３２の接続長さが比較例１または比較例２と同等であり、腰裏ベルト部１００の表面側である腰裏の意匠面側から見て、収容側布地２０Ａ及び延出側布地２０Ｂの間に表出する横幅長さ(ウエスト周方向の長さ)は比較例１，２と同等である。即ち、従来と弾性材の露出長さは同等としている。
【０１１６】
よって、サンプル１〜サンプル４の腰裏ベルト部１００では、外観性、見栄えを低下をさせることなく、また、強力な締め付け感、窮屈感を生じさせることなく、従来よりも伸び易くして、人体のウエストの動きに追従するフィット性を高めることができ、着用感を向上させることができる。よって、快適に長時間着用することができる。
【０１１７】
ここで、サンプル２よりもサンプル１では下位ゴム３２の接続長さを大きくしていることで、伸び量が増大した。また、サンプル４よりもサンプル１では上位ゴム３１の接続長さを大きくしていることで、伸び量が増大した。更に、サンプル２よりもサンプル３では重複量を大きくしていることで、より比較的楽な力で伸ばすことができた。よって、上位ゴム３１や下位ゴム３２の接続長さの調節、重複量の調節によって、伸び易さ、フィット性を調節できることが分かる。
【０１１８】
そして、表１に示すように、従来の比較例１，２では、ウエスト半周分で２〜３ｃｍの伸び量、全周にすると４〜６ｃｍの伸び量であったのに対し、サンプル１〜サンプル４では、半周分で４．５〜６ｃｍの伸び量、全周にすると９〜１２ｃｍの伸び量となる。
したがって、従来、既製品として通常３ｃｍピッチでウエスト周り寸法を変えて市販されているスーツ用ズボン１のうちのウエスト周り寸法の異なる少なくとも２種類に代用可能となる。つまり、ウエスト回り寸法を６ｃｍ以上の範囲で調節可能である。６ｃｍピッチでウエスト周り寸法を変えることが可能であると、製造販売する規格製品を２分の１にすることができる。よって、在庫負担を軽減でき、安価にスーツ用ズボン１を提供することが可能となる。特に、ウエスト回り寸法の伸びが８ｃｍ以下であれば、着用する人のウエストラインの見栄えも良い。
【０１１９】
勿論、既製品と同等の３ｃｍピッチとした場合でも、サンプル１〜サンプル４の腰裏ベルト部１００では、少ない外力で伸びるから強力な締め付け感、窮屈感を生じさせることもなく、ウエストの動きに追従するフィット性が高いものである。
【０１２０】
このように、本実施例１では、腰裏ベルト部１００が別体である上位ゴム３１と下位ゴム３２を上下に配設して一部で重ね、収容側布地２０Ａ及び延出側布地２０Ｂの間では上位ゴム３１及び下位ゴム３２が一体化されていないから、強力な締め付け感、窮屈感を生じさせることなく弾性力を強化でき、少ない外力で高い伸縮力を得ることができる。よって、ヤング率の高い弾性材を選択しなくとも少ない外力で伸び易く、ヤング率を小さくできるから耐久性も維持される。こうして、耐久性を維持しつつ、強力な締め付け感、窮屈感を生じさせることなく人体のウエストの動きに追従するフィット性を高めることができ、着用感を向上させることができる。
【０１２１】
次に、実施例１の変形例について、図９を参照して説明する。実施例１の変形例に係るスーツ用ズボン１は、腰裏ベルト部１００において、上位ゴム３１と下位ゴム３２が収容側布地２０Ａ及び延出側布地２０Ｂを接続する接続長さ、即ち、上位ゴム３１と下位ゴム３２の収容側布地２０Ａ及び延出側布地２０Ｂへの縫製が上記実施例１と相違する。その他の構成は、上記実施例１と同じであるから、ここでは重複する説明を省略する。
【０１２２】
実施例１の変形例に係る腰裏ベルト部１００においては、縫製手順で説明すると、図９（ａ）で示すように、まず、収容側布地２０Ａの一端部にその下方で所定長の下位ゴム３２を配設し、更に下位ゴム３２の上方に所定長の上位ゴム３１を重ねて配設して、収容側布地２０Ａの一端部に斜線の灰色領域で示した縫い代２０ａを１ｃｍ〜１．５ｃｍとって、上位ゴム３１及び下位ゴム３２の一端部側を上位ゴム３１の上端から下位ゴム３２の下端まで縫付線２４ａにて縫付ける。同様に、延出側布地２０Ｂの一端部にもその下方に所定長の下位ゴム３２を配設し、更に下位ゴム３２の上方に上位ゴム３１を重ねて配設して、延出側布地２０Ｂの一端部に縫い代２０ｂを１ｃｍ〜１．５ｃｍとって、上位ゴム３１及び下位ゴム３２の一端部側を上位ゴム３１の上端から下位ゴム３２の下端まで縫付線２４ｂにて縫付ける。このとき、実施例１と同様、下位ゴム３２は、その下端が収容側布地２０Ａ及び延出側布地２０Ｂの下端に一致させて配置され、腰裏ベルト部１００の表面側である腰裏の意匠面側から見て、上位ゴム３１の下方で上位ゴム３１の手前に下位ゴム３２が配置する。換言すると、下位ゴム３２の上方でその後方に上位ゴム３１が重ねられて配置されている。つまり、実施例１に係る変形例においても、下位ゴム３２の上方側の裏面と上位ゴム３１の下方側の表面が対向するように重ねられている。
【０１２３】
そして、実施例１の変形例に係る腰裏ベルト部１００においても、収容側布地２０Ａの縫い代２０ａ及び延出側布地２０Ｂの縫い代２０ｂが、上位ゴム３１及び下位ゴム３２と共に裏側に折り返されて、図９に示すように収容側布地２０Ａ、延出側布地２０Ｂの各縦幅（ウエスト周方向に対して直角な方向の幅）の全長に亘るステッチ２５ａ，２５ｂ（折り目から１〜３ｍｍ離れた位置のコバステッチ）が施される。
なお、縫付線２４ａ，２４ｂ及びステッチ２５ａ，２５ｂから、０．５ｍｍ〜１．５ｍｍ、好ましくは０．８ｍｍ〜１．２ｍｍ離れた位置で、ステッチ２５ａ，２５ｂの外側に別のステッチを更に設けてもよい。
【０１２４】
このように実施例１の変形例では、縫付線２４ａ及び縫付線２４ｂにて上位ゴム３１と下位ゴム３２が共に収容側布地２０Ａ及び延出側布地２０Ｂに縫合わせられている。そして、縫付線２４ａ及び縫付線２４ｂ間では、上位ゴム３１と下位ゴム３２は互いに縫合わせられておらず、一体化されることなく分離している。
【０１２５】
こうして、実施例１の変形例に係る腰裏ベルト部１００においては、腰裏ベルト部１００の表面側である腰裏の意匠面側から見て、下位ゴム３２の上方にその後方側で上位ゴム３１が重なるように配置されて、上位ゴム３１及び下位ゴム３２の一部の厚みを重複させた状態で上位ゴム３１の上端から下位ゴム３２の下端まで縫付線２４ａ，２４ｂによって縫付けていることにより、収容側布地２０Ａ及び延出側布地２０Ｂの間を接続する接続長さが、上位ゴム３１と下位ゴム３２で共に、縫付線２４ａ及び縫付線２４ｂ間の距離長さになっており、接続長さを同じにしている。このように上位ゴム３１と下位ゴム３２の接続長さを同一とする場合には、両者を所定に重複させた状態でまとめて収容側布地２０Ａ及び延出側布地２０Ｂに縫製することから、縫製に不慣れな作業者でも縫製が分かりやすく、作業効率を向上できる。
【０１２６】
その他の構成については、上記実施例１とほぼ同一であるから、上記実施例１と同様の作用効果が得られる。
即ち、実施例１の変形例に係るスーツ用ズボン１の腰裏ベルト部１００においても、上位ゴム３１と下位ゴム３２を上下に配設して一部で重ね、収容側布地２０Ａ及び延出側布地２０Ｂの間で上位ゴム３１及び下位ゴム３２が一体化されておらずに分離していることにより、強力な締め付け感、窮屈感を生じさせることなく弾性力を強化でき、少ない外力で高い伸縮力を得ることができる。よって、ヤング率の高い弾性材を選択しなくとも少ない外力で伸び易く、ヤング率を小さくできるから耐久性も維持される。こうして、耐久性を維持しつつ、強力な締め付け感、窮屈感を生じさせることなく人体のウエストの動きに追従するフィット性を高めることができ、着用感を向上させることができる。
【０１２７】
［実施例２］
次に、本発明の実施の形態に係る実施例２について、図１０乃至図１２を参照して説明する。
本発明の実施例２に係るスーツ用ズボン１は、図１０乃至図１２に示されるように、腰裏ベルト部１００の収容側布地２０Ａと延出側布地２０Ｂの間を接続する上位ゴム３１、下位ゴム３２の配置構成が上記実施例１と異なる。その他の構成は、上記実施例１と同じであるから、ここでは重複する詳細な説明を省略する。
【０１２８】
図１０乃至図１２に示されるように、実施例２に係る腰裏ベルト部１００においては、上位ゴム３１と下位ゴム３２の重層が上記実施例１とは逆で、腰裏ベルト部１００の表面側である腰裏の意匠面側から見て、下位ゴム３２よりも上位ゴム３１が手前に配置され、上位ゴム３１の下方でその後方から下位ゴム３２が重ねられて配置される。つまり、上位ゴム３１の下方側の裏面と下位ゴム３２の上方側の表面が対向するように重ねられている。
【０１２９】
縫製手順で説明すると、上記実施例１とは逆で、先に上位ゴム３１から収容側布地２０Ａと延出側布地２０Ｂに縫付けられる。
即ち、図１０（ａ）で示すように、まず、収容側布地２０Ａの一端部に斜線の灰色領域で示した縫い代２０ａを１ｃｍ〜１．５ｃｍとって、その下端から所定距離離した位置で所定長の上位ゴム３１の一端部側を縫付線２４ａにて縫付け、また、延出側布地２０Ｂの一端部に、縫い代２０ｂを１ｃｍ〜１．５ｃｍとって、その下端から所定距離離した位置で所定長の上位ゴム３１の反対側の一端部を縫付線２４ｂにて縫付ける。
【０１３０】
続いて、収容側布地２０Ａの縫い代２０ａ及び延出側布地２０Ｂの縫い代２０ｂを上位位ゴム３１と共に裏側に折り返して、折り返し線（折り目）に沿って、収容側布地２０Ａ、延出側布地２０Ｂの各縦幅（ウエスト周方向に対して直角な方向の幅）の全長に亘るステッチ２５ａ，２５ｂ（折り目から１〜３ｍｍ離れた位置のコバステッチ）を施す。
【０１３１】
次に、図１１に示されるように、縫付線２４ａ，２４ｂ及びステッチ２５ａ，２５ｂにて収容側布地２０Ａの一端部及び延出側布地２０Ｂの一端部に縫付けられた上位ゴム３１の下方に下位ゴム３２が配置される。このとき、上位ゴム３１の下方側が、下位ゴム３２の上方側に重ねられ、図１１（ａ）に示すように、腰裏ベルト部１００の表面側である腰裏の意匠面側から見て、下位ゴム３２が上位ゴム３１の後方に配置される。なお、下位ゴム３２は、その下端が収容側布地２０Ａ及び延出側布地２０Ｂの下端に一致させて配置されている。
【０１３２】
そして、図１１（ａ）に示すように腰裏ベルト部１００の表面側である腰裏の意匠面側から見て、上位ゴム３１の下方にその後方で重ねた下位ゴム３２は、縫付線２４ａ，２４ｂ及びステッチ２５ａ，２５ｂから、０．５ｍｍ〜１．５ｍｍ、好ましくは０．８ｍｍ〜１．２ｍｍ離れた位置で、収容側布地２０Ａの縫い代２０ａ及び延出側布地２０Ｂの縫い代２０ｂを含めて（貫通させて）、収容側布地２０Ａや延出側布地２０Ｂの各縦幅の全長に亘る縫付線２６ａ，２６ｂによって収容側布地２０Ａ及び延出側布地２０Ｂに縫付けられる。
【０１３３】
こうして、図１１及び図１２に示すように、本実施例２では、上位ゴム３１の一端部を収容側布地２０Ａの一端部に縫付線２４ａによる縫付けによって、また、上位ゴム３１の反対側の他端部を延出側布地２０Ｂの一端部に縫付線２４ｂによる縫付けによって、収容側布地２０Ａ及び延出側布地２０Ｂの間の上位側を上位ゴム３１によって接続している。更に、腰裏ベルト部１００の表面側である腰裏の意匠面側から見て、上位ゴム３１の下方に、その後方から重ねて配設した下位ゴム３２の一端部を収容側布地２０Ａの一端部に縫付線２４ａ及びステッチ２５ａよりも所定距離離れた外側（収容側布地２０Ａの端縁から遠のく方向）で縫付線２６ａによる縫付けによって、また、下位ゴム３２の反対側の他端部を延出側布地２０Ｂの一端部に縫付線２４ｂ及びステッチ２５ｂよりも所定距離離れた外側（延出側布地２０Ｂの端縁から遠のく方向）で縫付線２６ｂによる縫付けによって、収容側布地２０Ａ及び延出側布地２０Ｂの間の下位側を下位ゴム３２により接続している。
【０１３４】
つまり、上記実施例１では腰裏ベルト部１００の表面側である腰裏の意匠面側から見て、下位ゴム３２の上方でその後方に上位ゴム３１の下方が重なっていて、下位ゴム３２の上下両端が表出していのに対し、実施例２では、上位ゴム３１の下方でその後方に下位ゴム３２の上方が重なっていて、上位ゴム３１の上下両端が表出している。
【０１３５】
なお、本実施例２においても、上位ゴム３１の下方に下位ゴム３２の上方が重なった状態で、縫付線２６ａ，２６ｂにて上位ゴム３１と下位ゴム３２が共に収容側布地２０Ａや延出側布地２０Ｂに縫付けられているが、縫付線２６ａと縫付線２６ｂ間では、上位ゴム３１と下位ゴム３２は互いに縫合わせられておらず、分離している。
【０１３６】
そして、本実施例２においては、上記実施例１とは上位ゴム３１と下位ゴム３２の接続長さが逆になっており、収容側布地２０Ａ及び延出側布地２０Ｂの間を接続する接続長さが、上位ゴム３１では縫付線２４ａ及び縫付線２４ｂ間の距離であるのに対し、下位ゴム３２では、縫付線２４ａ及び縫付線２４ｂよりも外側の縫付線２６ａ及び縫付線２６ａ間の距離長さとなっており、上位ゴム３１よりも下位ゴム３２の接続長さを長くしている。
【０１３７】
本実施例２においても、腰裏の意匠面側から見て収容側布地２０Ａ及び延出側布地２０Ｂの間に表出するゴムのウエスト周方向の長さは見た目には従来と変わらないものとするも、下位ゴム３２を縫付線２６ａ，２６ｂによって収容側布地２０Ａ及び延出側布地２０Ｂに縫付けることにより上位ゴム３１よりも接続長さを長くして、より伸び易くすることができる。
【０１３８】
そして、本実施例２でも、このように上位ゴム３１よりも下位ゴム３２の接続長さを長くし伸びの変化を大きくしても、収容側布地２０Ａ及び延出側布地２０Ｂの間で重ねられた上位ゴム３１及び下位ゴム３２が一体化されることなく分離しているから、上位ゴム３１と下位ゴム３２にかかる伸び変化の相違による負荷は小さい。
【０１３９】
なお、このように上位ゴム３１よりも下位ゴム３２の接続長さを長くした実施例２では、収容側布地２０Ａの一端縁と縫付線２６ａの間では、収容側布地２０Ａと下位ゴム３２が縫着されていないから、収容側布地２０Ａの一端縁側の下端部が捲れやすい。また同様に、延出側布地２０Ｂの一端縁と縫付線２６ｂの間でも、延出側布地２０Ｂと下位ゴム３２が縫着されていないから、延出側布地２０Ｂの一端縁側の下端部が捲れやすい。そこで、収容側布地２０Ａの一端縁と縫付線２６ａの間で捲れ防止のために、部分的に収容側布地２０Ａ及び延出側布地２０Ｂを下位ゴム３２に縫付けても良い。
【０１４０】
このように実施例２に係るスーツ用ズボン１の腰裏ベルト部１００においても、上記実施例１と同様、別体である上位ゴム３１と下位ゴム３２を上下に配設して一部で重ね、収容側布地２０Ａ及び延出側布地２０Ｂの間で上位ゴム３１及び下位ゴム３２を一体化せずに分離させていることにより、強力な締め付け感、窮屈感を生じさせることなく弾性力を強化でき、少ない外力で高い伸縮力を得ることができる。よって、ヤング率の高い弾性材を選択しなくとも少ない外力で伸び易く、ヤング率を小さくできるから耐久性も維持される。こうして、耐久性を維持しつつ、強力な締め付け感、窮屈感を生じさせることなく人体のウエストの動きに追従するフィット性を高めることができ、着用感を向上させることができる。
【０１４１】
特に、実施例２では、腰裏ベルト部１００の表側（意匠面側、身体側）から見て、下位ゴム３２よりも上位ゴム３１が前方にあると、上位ゴム３１の下端縁が下位ゴム３２よりも手前にくることで、タックインしたシャツのずれ上がりを防止する滑り止め機能を持つことになる。
【０１４２】
なお、実施例２では収容側布地２０Ａ及び延出側布地２０Ｂの間の接続長さについて上位ゴム３１よりも下位ゴム３２の接続長さを長くしており、図１２及び図１３においては、所定長の縫い代や強度確保等のために上位ゴム３１よりも下位ゴム３２の長さが長くなっているが、本発明を実施する場合には上位ゴム３１と下位ゴム３２の長さは同一であってもよい。また、上位ゴム３１の長さが、所定長の縫い代や強度確保等のため収容側布地２０Ａ及び延出側布地２０Ｂに縫付けるときの縫付線２６ａ，２６ｂ間の距離長さ以上に設定されて、上位ゴム３１は下位ゴム３２が重ねられた状態でそれと共に収容側布地２０Ａ及び延出側布地２０Ｂに縫付線２６ａ，２６ｂにより縫付けられているが、本発明を実施する場合には、上位ゴム３１の長さを縫付線２６ａ，２６ｂ間の距離長さ未満として、上位ゴム３１は縫付線２６ａ，２６ｂで下位ゴム３２と共に収容側布地２０Ａや延出側布地２０Ｂに縫付けられることなく縫付線２４ａ，２４ｂ及びステッチ２５ａ，２５ｂのみで収容側布地２０Ａや延出側布地２０Ｂに縫付ける構成としても良い。
【０１４３】
次に、実施例２の変形例について、図１３を参照して説明する。実施例２の変形例に係るスーツ用ズボン１は、腰裏ベルト部１００において、上位ゴム３１と下位ゴム３２が収容側布地２０Ａ及び延出側布地２０Ｂを接続する接続長さ、即ち、上位ゴム３１と下位ゴム３２の収容側布地２０Ａ及び延出側布地２０Ｂへの縫製が上記実施例２と相違する。その他の構成は、上記実施例２と同じであるから、ここでは重複する説明を省略する。
【０１４４】
実施例２の変形例に係る腰裏ベルト部１００においては、縫製手順で説明すると、図１３（ａ）で示すように、まず、収容側布地２０Ａの一端部の上位に所定長の上位ゴム３１を配設し、その下方に所定長の下位ゴム３２を重ねて配設し、上位ゴム３１及び下位ゴム３２の一端部側を収容側布地２０Ａの一端部に斜線の灰色領域で示した縫い代２０ａを１ｃｍ〜１．５ｃｍとって、上位ゴム３１の上端から下位ゴム３２の下端まで縫付線２４ａにて縫付ける。同様に、延出側布地２０Ｂの一端部の上位にも、所定長の上位ゴム３１を配設し、その下方に所定長の下位ゴム３２を重ねて配設し、上位ゴム３１及び下位ゴム３２の一端部側を延出側布地２０Ｂの一端部に斜線の灰色領域で示した縫い代２０ｂを１ｃｍ〜１．５ｃｍとって、上位ゴム３１の上端から下位ゴム３２の下端まで縫付線２４ｂにて縫付ける。このとき、下位ゴム３２は、その下端が収容側布地２０Ａ及び延出側布地２０Ｂの下端に一致させて配置され、実施例２と同様、腰裏ベルト部１００の表面側である腰裏の意匠面側から見て、下位ゴム３２の上方でその手前側に上位ゴム３１が重ねられて配置されている。換言すると、上位ゴム３１の下方でその後方に下位ゴム３２の上方が重ねられて配置されており、上位ゴム３１の下方側の裏面と下位ゴム３２の上方側の表面が対向するように重ねられている。
【０１４５】
そして、実施例２の変形例に係る腰裏ベルト部１００においても、収容側布地２０Ａの縫い代２０ａ及び延出側布地２０Ｂの縫い代２０ｂが、上位ゴム３１及び下位ゴム３２と共に裏側に折り返されて、図１３に示すように収容側布地２０Ａ、延出側布地２０Ｂの各縦幅（ウエスト周方向に対して直角な方向の幅）の全長に亘るステッチ２５ａ，２５ｂ（折り目から１〜３ｍｍ離れた位置のコバステッチ）が施される。
なお、縫付線２４ａ，２４ｂ及びステッチ２５ａ，２５ｂから、０．５ｍｍ〜１．５ｍｍ、好ましくは０．８ｍｍ〜１．２ｍｍ離れた位置で、ステッチ２５ａ，２４ｂの外側に別のステッチを更に設けてもよい。
【０１４６】
このように実施例２の変形例では、縫付線２４ａ及び縫付線２４ｂにて上位ゴム３１と下位ゴム３２が共に収容側布地２０Ａ及び延出側布地２０Ｂに縫合わせられている。そして、縫付線２４ａ及び縫付線２４ｂ間では、上位ゴム３１と下位ゴム３２は互いに縫合わせられておらず、分離している。
【０１４７】
こうして、実施例２の変形例に係る腰裏ベルト部１００においては、腰裏ベルト部１００の表面側である腰裏の意匠面側から見て下位ゴム３２の上方でその前方側に上位ゴム３１の下方が重なるように配置されて、上位ゴム３１及び下位ゴム３２の一部の厚みを重複させた状態で上位ゴム３１の上端から下位ゴム３２の下端まで縫付線２４ａ，２４ｂによって縫付けていることにより、収容側布地２０Ａ及び延出側布地２０Ｂの間を接続する接続長さが、上位ゴム３１と下位ゴム３２で共に、縫付線２４ａ及び縫付線２４ｂ間の距離長さになっており、接続長さを同じにしている。このように上位ゴム３１と下位ゴム３２の接続長さを同一とする場合には、両者を所定に重複させた状態でまとめて収容側布地２０Ａ及び延出側布地２０Ｂに縫製することから、縫製に不慣れな作業者でも縫製が分かりやすく、作業効率を向上できる。
【０１４８】
その他の構成については、上記本実施例２とほぼ同一であるから、上記実施例２と同様の作用効果が得られる。
即ち、実施例２の変形例に係るスーツ用ズボン１の腰裏ベルト部１００においても、別体である上位ゴム３１と下位ゴム３２を上下に配設して一部で重ね、収容側布地２０Ａ及び延出側布地２０Ｂの間では上位ゴム３１及び下位ゴム３２が分離されていることにより、強力な締め付け感、窮屈感を生じさせることなく弾性力を強化でき、少ない外力で高い伸縮力を得ることができる。よって、ヤング率の高い弾性材を選択しなくとも少ない外力で伸び易く、ヤング率を小さくできるから耐久性も維持される。こうして、耐久性を維持しつつ、強力な締め付け感、窮屈感を生じさせることなく人体のウエストの動きに追従するフィット性を高めることができ、着用感を向上させることができる。
【０１４９】
特に、実施例２の変形例においても、腰裏ベルト部１００の表側（意匠面側、身体側）から見て、下位ゴム３２よりも上位ゴム３１が前方にあると、上位ゴム３１の下端縁が下位ゴム３２よりも手前にくることで、タックインしたシャツのずれ上がりを防止する滑り止め機能を有する。
【０１５０】
以上説明してきたように、本実施の形態に係るスーツ用ズボン１は、ウエスト周りに配設するウエストベルト１０の表側に形成され、身頃４Ｆ，４Ｂに縫着していない一端部が延出する延出部３Ｂと、延出部３Ｂと共にウエストベルト１０の表側に形成され、延出部３Ｂの身頃４Ｆ，４Ｂに縫着していない一端部が重ねられる収容部３Ａと、延出部３Ｂと収容部３Ｂに各端部が接続された主弾性材としてのゴムテープ６と、収容部３Ａ側に配設する収容側布地２０Ａ及び延出部３Ｂ側に配設する延出側布地２０Ｂの間を主弾性材であるゴムテープ６とは別の上方側の第１の弾性材としての上位ゴム３１及び下方側の第２の弾性材としての下位ゴム３２によって接続してなり、ウエストベルト１０の長手方向の裏側に形成した腰裏ベルト部１００とを具備し、腰裏ベルト部１００の上位ゴム３１及び下位ゴム３２は、上位ゴム３１の下方に下位ゴム３２の上方が重なることにより互いに一部の厚みを重複させて上下に配設され収容側布地２０Ａ及び延出側布地２０Ｂの間を接続し、収容側布地２０Ａ及び延出側布地２０Ｂの間で重ね合わされている上位ゴム３１及び下位ゴム３２が一体化されておらず分離しているものである。
【０１５１】
こうして、本実施の形態に係るスーツ用ズボン１によれば、上位ゴム３１及び下位ゴム３２によって互いに厚みを重複させて上下に配設し、収容側布地２０Ａ及び延出側布地２０Ｂの間を接続しているから、弾性力が強化されるも、上位ゴム３１及び下位ゴム３２は一部の厚みが重複し、収容側布地２０Ａ及び延出側布地２０Ｂの間で上位ゴム３１及び下位ゴム３２が分離するから、少ない外力で高い伸縮力を得ることができる。即ち、強力な締め付け感、窮屈感を生じさせることなく弾性力を強化できる。
よって、ヤング率の高い弾性材を選択しなくとも少ない外力で伸び易く、ヤング率を小さくできるから耐久性も維持される。こうして、耐久性を維持しつつ、強力な締め付け感、窮屈感を生じさせることなく人体のウエストの動きに追従するフィット性を高めることができ、着用感を向上させることができる。
【０１５２】
また、従来では、ウエストサイズを７６ｃｍ、７９ｃｍ、８２ｃｍ、８５ｃｍ、８８ｃｍ・・と３ｃｍ間隔の規格で商品サイズを展開していたが、このように伸び易くできるから、例えば、４ｃｍ間隔、５ｃｍ間隔、６ｃｍ間隔といった粗い刻みの規格でも対応できるようになり、在庫負担を軽減でき、在庫管理にも有利となる。
【０１５３】
そして、本実施の形態に係るスーツ用ズボン１によれば、別体の上位ゴム３１及び下位ゴム３２によって互いに厚みを重複させて上下に配設して収容側布地２０Ａ及び延出側布地２０Ｂを接続しており、収容側布地２０Ａ及び延出側布地２０Ｂの間で上位ゴム３１及び下位ゴム３２が分離するから、上位ゴム３１と下位ゴム３２で収容側布地２０Ａ及び延出側布地２０Ｂを接続する接続長さを相違させても、引張り力がかかった際に伸縮力の差の相違によって上位ゴム３１と下位ゴム３２にかかる負荷や、上位ゴム３１及び下位ゴム３２を収容側布地２０Ａ及び延出側布地２０Ｂに縫付ける縫い目にかかる負荷は少ない。即ち、繰り返しの伸縮によっても上位ゴム３１と下位ゴム３２の弾性力が低下し難く、縫い目が解け難い。したがって、負荷をかけることなく、腰裏の意匠面側から見て収容側布地２０Ａ及び延出側布地２０Ｂの間に表出するゴムのウエスト周方向の長さは見た目には従来と変わらないものとするも、上位ゴム３１または下位ゴム３２の一方の接続長さを他方よりも長くして、より伸び易くすることができる。
【０１５４】
なお、図６乃至図１３で示した実施例、変形例の縫製では、収容側布地２０Ａ、延出側布地２０Ｂ、上位ゴム３１及び下位ゴム３２の端部は、縫い代をとっているため、端部の裁断切れ端は、収容側布地２０Ａ、延出側布地２０Ｂの裏側に位置する。よって、見栄えが良く、切れ端からの解れも生じ難い。しかし、本発明を実施する場合には、上記縫製に限定されることはない。
【０１５５】
ところで、上記実施の形態においては、収容側布地２０Ａ及び延出側布地２０Ｂを接続する上方側の第１の弾性材としての上位ゴム３１や、下方側の第２の弾性材としての下位ゴム３２に編ゴム、織ゴム等、コールゴム等の平ゴムが使用される説明をしたが、本発明を実施する場合には、収容部３Ａ及び延出部３Ｂの間に取付けられた主弾性材の弾性力を妨げない程度にスムースな伸縮性を有していれば、上方側の第１の弾性材や、下方側の第２の弾性材にゴム製板、ストレッチテープ（ゴム入り布）のゴム材や、パワーネット生地、サテンネット生地、ストレッチサテン生地、ストレッチレース生地等の弾性・伸縮性を有する生地を使用することも可能である。また、上方側の第１の弾性材と下方側の第２の弾性材は同一の素材であっても良いし、異なる素材を用いても良い。
【０１５６】
上記実施の形態においては、ウエスト伸縮自在ボトムスとしてスーツ用ズボン１の例について説明したが、ウエスト伸縮自在ボトムスとしてはこれに限られるものではなく、スラックス等のカジュアルでないボトムスでも、チノパン等の綿パンやジーンズ（Ｇパン）等のカジュアルなボトムスでも、ゴルフスラックス等のスポーツウエアでも、スカートやキュロットスカート等でも、収容部３Ａ及び延出部３Ｂを重ね合わせた重ね合わせ部９を備えたウエストベルト１０を有するどのような被服にも適用することができる。なお、スーツ用ズボン１等のフォーマルなボトムスでは、ベルト布ステッチを施さない場合もあるが、ジーンズ（Ｇパン）、綿パンを始めとするカジュアルなボトムスにおいては、収容部３Ａ及び延出部３Ｂの上下端にベルト布ステッチを施すのが一般的である。
特に、本発明のウエスト伸縮自在ボトムスによれば、見栄えを損なうことなく人体のウエストの動きに追従するフィット性が高まることから、ゴルフ等の運動(スポーツ)時に着用するトレーニングウエア、スポーツウエアとしても好適であり、高いフィット性により激しい動きにも追従して、高い着用感を得ることができる。
【０１５７】
また、上記実施の形態では、左右の脇線ＬＳ，ＲＳの近傍の２箇所に収容部３Ａ及び延出部３Ｂを重ね合わせた重ね合わせ部９を有するスーツ用パンツ１で説明し、それに対応してそれぞれ腰裏ベルト部１００の上位ゴム３１及び下位ゴム３２で１組みを２箇所配設したが、本発明を実施する場合には、重ね合わせ部９を１箇所以上とし、それに対応する１箇所以上で腰裏ベルト部１００の上位ゴム３１及び下位ゴム３２が配設される。また、本発明を実施する場合には、前中心ＦＣ側に収容部３Ａを設け、後身頃９側に延出部３Ｂを設けることも可能である。更に、上記実施の形態では、延出部３Ｂの延出自在な一端部側がウエストベルト部１０の表側の意匠面側からみて隠れるように収容部３Ａの内側に重ねられて収められているが、本発明を実施する場合には、収容部３Ａの外側で延出部３Ｂの延出自在な一端部側を重ねてそこを主弾性材によって接続する構成としても良い。
【０１５８】
そして、上記実施の形態では、腰裏ベルト部１００が取付けられるウエストベルト１０表側の構成は、延出部３Ｂと収容部３Ａの重ね合わせ部９を設け、延出部３Ｂと収容部３Ａとの間にゴムテープ６の各端部を接続する構成として、ゴムテープ６を表側の意匠面側から隠して見た目に伸縮するのが分かり難いものとしているが、本発明を実施する場合には、ウエストベルト１０の伸縮自在構造は上記に限定されるものではない。例えば、ウエストベルト１０表側の全周を弾性材や伸縮性の素材で形成することによって、或いは、ウエストベルト１０部のウエスト周方向の一部を弾性材や伸縮性の素材によって形成することによって、ウエストベルト１０の表側の長さを伸縮自在とするものであってもよい。
【０１５９】
更に、上記実施の形態においては、ウエスト周りが伸長する際にポケット２の袋布２Ｃの引き攣りをなくしてウエスト周りのスムースな伸縮が得られるように、また、袋布２Ｃにかかる引張り力が表側に響いてポケット２の隅が歪んだりポケットの周辺に皺が寄ったりするのを防止し、表側から見た場合でも良好な見栄えを保つことができるように、袋布２Ｃの中央部にタック２Ｄを設けた構成で説明したが、タック２Ｄの代わりにポケット２の袋布２Ｃの上端を切込み等によって分割する構成としてもよい。このようにしても、ウエスト周りが伸長する際に袋布２Ｃにかかる引張り力が分割部分で開閉することによって逃がされるため、引張り力が表側に響いてポケット２の隅が歪んだりポケット２の周辺にシワが寄ったりするのを防止することができ、ポケット２が滑らかに変形する。また、袋布２Ｃの上端の分割部分の内側のみが延出部３Ｂの摺動に伴って引張られ、袋布２Ｃの上端の分割部分の外側が縫付けられている前身頃４は引張られないようにすることで、引き攣ることがなく、表側から見た場合でも良好な見栄えを保つことができる。なお、強度確保等のため、通常、分割部分にはパイピングが施される。
【０１６０】
更にまた、上記実施の形態では、両脇の脇線ＬＳ，ＲＳに沿ってポケット２を設け、開閉のために生地の余裕があるポケット２の近傍にウエストベルト１０の重ね合わせ部９を設けていることによって、ウエスト周りが伸縮する際に、身頃に皺がよることがなく、見栄えの良いものとしているが、ポケット２に代えてタックを設けることも可能である。
【０１６１】
即ち、ウエストベルト１０には左右一対のタックの近傍に、収容部３Ａとその収容部３Ａに端部が収まる延出部３Ｂからなる重ね合わせ部９を形成し、延出部３Ｂの先端と収容部３Ａとが収容部３Ａ内において主弾性材としてのゴムテープ６で接続されるとともに、脇線ＬＳ，ＲＳの上部に一対のタックを設けることによって、ウエストベルト１０の長さを伸縮自在とすることも可能である。このとき、ウエストベルト１０に引張り力がかかっていない場合には、タックは折り畳まれた状態にあって脇線ＬＳ，ＲＳと一体となっており、ウエストベルト１０に引張り力がかかってウエスト周りが伸びると、延出部３Ｂの近傍の前身頃４も延出部３Ｂと一体に移動して、タックが拡げられる。
このタックは、例えば、両脇の脇線ＬＳ，ＲＳに沿って、両脇の脇線ＬＳ，ＲＳの上端または上端の近傍の裏側に設けることできる。更に、ポケット２に加え両脇の脇線ＬＳ，ＲＳにタックを設けても良い。
【０１６２】
加えて、上記実施の形態では、スーツ用ズボン１において、延出部３Ｂと収容部３Ａの動きに追従して身頃に皺が生じないようするために、両脇の脇線ＬＳ，ＲＳに沿ってポケット２を設けているが、「ポケット」としては、外縁が直線の脇ポケット、外縁が略Ｌ字型形状のＬポケット、その変形で外縁が略Ｓ字型形状のＳポケット等を始めとしてどのような外縁形状を有するものでも良い。外縁が略Ｌ字型形状を有するＬポケットの形状としては、例えば、角張ったＬ字形状の外縁を有するＬポケット、縦方向に長い角張ったＬ字形状の外縁を有するＬポケット等が挙げられる。
【０１６３】
また、ポケット口を複数設ける構成としても良い。例えば、脇線ＬＳ，ＲＳに沿ってまたは脇線の近傍の前中心ＦＣよりに形成された小ポケット(例えば、ポケット口の縦幅長さが３ｃｍ以上、１５ｃｍ以下の範囲内)と、小ポケットよりも前中心より形成された小ポケットよりも容量が大きな大ポケットとを設ける構成としてもよい。この場合には、小ポケットにタックや切込み等が入れられることになる。また、小ポケットの開口は大ポケットの開口より内側に配設しても良い。別途、脇中間ポケットを脇線の近傍に設けても良い。
更に、片玉縁のポケット口を有する片玉縁のポケット、両玉縁のポケット口を有する両玉縁のポケット、フラップ付きのポケット口を有するフラップ付きポケットであってもよい。
【０１６４】
特に、Ｌポケットは、婦人用パンツのポケットとして好ましい。骨盤が大きい女性でも、着用したときにポケット口が変形し難く、また、ポケット口に皺等が生難く、見栄えを良くすることができるため、例えば、女性用スラックス等に適する。
また、両脇のポケットが左右対称でなくても良く、左右でポケットの種類が異なっていても構わない。更に、ポケットの開口部の前中心ＦＣ側が伸縮性を有すると、見栄えが向上する。
【０１６５】
そして、図２及び図３においては、主弾性材としてのゴムテープ６に伸び止め材７を並設した構成で説明したが、本発明を実施する場合には、主弾性材としてのゴムテープ６には、延出部３Ｂと一体としたストッパー部分を並設し、そのストッパー部分にゴムテープ６の最大伸びを制限する伸び止め材７の役割を持たせることも可能である。延出部３Ｂの先端を細くして延長し、共布で伸び止め材７の役割をするストッパー部分を設けることによって、単独の伸び止め材７をリボンテープ等で設ける必要がなく、縫製工程も簡略化されるため、コストがかからず安価にゴムテープ６や腰裏ベルト部１００の上位ゴム３１及び下位ゴム３２を長持ちすることができる。その他、伸縮するゴムの伸びの限界を綿等の繊維の織り込みによって規定することも可能である。
【０１６６】
しかし、本発明を実施する場合には、ゴムテープ６や腰裏ベルト部１００の上位ゴム３１及び下位ゴム３２の伸びを制限する伸び止め材７やストッパー部分については省略することも可能である。伸び止め材７やストッパー部分を省略した場合には、例えば、袋布のタックや分割構造によって、最大の伸び長さを特定することも可能である。しかし、そこに無理な引張り力がかかり張力を受けることになるので、見栄えが低下したり、長期の使用によって破れが生じたりする可能性がある。したがって、ウエストベルト１０内部のゴムテープ６に伸び止め材７やストッパー部分を並設した構成であれば、最大の伸びが伸び止め材７やストッパー部分で規制され、そこに張力が加わって見栄えが低下することがない。また、ウエストベルト１０が伸縮する布地で形成されていても、その影響が少なくなる。そして、このようにゴムテープ６や腰裏ベルト部１００の上位ゴム３１及び下位ゴム３２の最大伸び長さが規定されていると、上位ゴム３１及び下位ゴム３２を延出部３Ｂに縫付けた部分と縫付けていない部分との境界部の縫い止まり部において無理な引張り力がかかるのが防止され、その部分でのストレスが軽減され、耐久性を延ばすことができる。なお、上記境界部の縫い止まり部には、閂止めを施すことで縫製の縫い目を補強しても良い。
【０１６７】
更に、上記実施の形態では、袋布２Ｃやタック２Ｄの形状維持、皺寄り防止、見栄えの向上のために補助弾性材としてのゴムテープ８を設けているが、補助弾性材としてのゴムテープ８の弾性力は、主弾性材としてのゴムテープ６の弾性力に比較すると小さく、ウエストサイズの調整の主弾性材としてのゴムテープ６の弾性力からすれば無視できる程度であり、また、袋布２Ｃの上部に皺が寄っても、見栄えに影響する皺が入る可能性が低いことから、省略も可能である。
【０１６８】
そして、本発明を実施するに際しては、ウエスト伸縮自在ボトムスの構造、形状、材質、生地、大きさ、長さ、幅、接続関係等についても、上記実施の形態に限定されるものではない。なお、本発明の実施の形態で挙げている数値は、臨界値を示すものではなく、実施に好適な好適値を示すものであるから、上記数値を若干変更してもその実施を否定するものではない。
【符号の説明】
【０１６９】
１      ウエスト伸縮自在ボトムス
３Ａ    収容部
３Ｂ    延出部
６      ゴムテープ（主弾性材）
１０    ウエストベルト
２０Ａ  収容側布地
２０Ｂ  延出側布地
３１    上位ゴム（第１の弾性材）
３２    下位ゴム（第２の弾性材）
１００  腰裏ベルト部
【図１】
2018119232.tif 000004
【図２】
2018119232.tif 000005
【図３】
2018119232.tif 000006
【図４】
2018119232.tif 000007
【図５】
2018119232.tif 000008
【図６】
2018119232.tif 000009
【図７】
2018119232.tif 000010
【図８】
2018119232.tif 000011
【図９】
2018119232.tif 000012
【図１０】
2018119232.tif 000013
【図１１】
2018119232.tif 000014
【図１２】
2018119232.tif 000015
【図１３】
2018119232.tif 000016